(57)【特許請求の範囲】
【請求項１】
ワイヤレス通信の方法であって、
第１の無線アクセス技術（ＲＡＴ）にしたがって動作する第１のモデムによって、前記第１のＲＡＴにしたがって動作する少なくとも１つのネットワークエンティティからメッセージを受信することと、ここにおいて、前記受信されたメッセージは、測定されたエネルギーレベルで前記第１のモデムによって検出される、
前記第１のモデムによって、前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信することと、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送ることと、ここにおいて、前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
前記第１のモデムから受信された前記検出されたエネルギーレベル値に基づいてエネルギー検出しきい値を調整することと、前記調整されたエネルギー検出しきい値は通信チャネル中の干渉レベルを決定するために使用される
を備える、方法。
【請求項２】
前記第２のモデムによって、前記検出されたエネルギーレベル値がデフォルトのエネルギー検出しきい値を下回ると決定することをさらに備え、ここにおいて、前記エネルギー検出しきい値を調整することは、前記第１のモデムから受信された前記検出されたエネルギーレベル値が前記デフォルトのエネルギー検出しきい値を下回ると決定することに基づいて調整することを含む、請求項１に記載の方法。
【請求項３】
前記第２のモデムによって、前記調整されたエネルギー検出しきい値に基づいて通信チャネル中の干渉レベルを決定することをさらに備える、
請求項１に記載の方法。
【請求項４】
前記第１のモデムまたは前記第２のモデムの一方によって、前記検出されたエネルギーレベル値に基づいて前記エネルギー検出しきい値を調整することをさらに備える、
請求項１に記載の方法。
【請求項５】
前記第１のモデムによって、前記測定されたエネルギーレベルと前記後続の測定されたエネルギーレベルとを含む複数の測定されたエネルギーレベルの中の最小の測定されたエネルギーレベルを決定することと、
前記第１のモデムによって、前記決定された最小の測定されたエネルギーレベルを前記検出されたエネルギーレベル値として設定することと
をさらに備える、請求項１に記載の方法。
【請求項６】
前記検出されたエネルギーレベル値を送ることは、前記受信されたメッセージまたは前記後続のメッセージの一方または両方に関連付けられたヘッダ情報を、前記第１のモデムによって前記第２のモデムに送ることを含む、請求項１に記載の方法。
【請求項７】
前記第１のモデムまたは前記第２のモデムの一方によって、前記測定されたエネルギーレベルと前記後続の測定されたエネルギーレベルとをフィルタリングすることと、
前記第１のモデムまたは前記第２のモデムの一方によって、前記受信されたメッセージに関連付けられた前記測定されたエネルギーレベルと前記後続の測定されたエネルギーレベルとから、前記検出されたエネルギーレベル値を決定することと
をさらに備える、請求項６に記載の方法。
【請求項８】
前記第１のモデムによって、前記検出されたエネルギーレベル値を前記送る前に、定義された期間の間、待機することと、
前記第１のモデムによって、前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記第１のモデムによって、および前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと
をさらに備え、
前記検出されたエネルギーレベル値を前記送ることは、前記定義された期間の満了に応答して送ることを備える、請求項１に記載の方法。
【請求項９】
前記エネルギー検出しきい値を調整することは、前記第１のモデムから受信された前記検出されたエネルギーレベル値に基づいて前記エネルギー検出しきい値を低減することを含む、請求項１に記載の方法。
【請求項１０】
前記エネルギー検出しきい値を調整することは、前記検出されたエネルギーレベル値の関数として調整することを含む、請求項１に記載の方法。
【請求項１１】
前記検出されたエネルギーレベル値は、定義された時間期間にわたる、１つまたは複数の復号されたプリアンブルの受信信号強度インジケータ（ＲＳＳＩ）値である、請求項１に記載の方法。
【請求項１２】
前記第１のＲＡＴは、ワイヤレスローカルエリアネットワークにしたがって動作し、前記第２のＲＡＴは、ワイヤレスワイドエリアネットワークにしたがって動作する、請求項１に記載の方法。
【請求項１３】
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信することをさらに備える、
請求項１に記載の方法。
【請求項１４】
ワイヤレス通信のための装置であって、
第１の無線アクセス技術（ＲＡＴ）にしたがって動作することと、
前記第１のＲＡＴを使用する少なくとも１つのネットワークエンティティからメッセージを受信することと、ここにおいて、前記受信されたメッセージは、測定されたエネルギーレベルで第１のモデムによって検出される、
前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信することと、
前記受信されたメッセージの前記測定されたエネルギーレベルに少なくとも基づく検出されたエネルギーレベル値を送ることと、ここにおいて、前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
を行うように構成された前記第１のモデムと、
前記第１のＲＡＴとは異なる第２のＲＡＴにしたがって動作することと、
前記第１のモデムから受信された前記検出されたエネルギーレベル値に基づいてエネルギー検出しきい値を調整することと、前記調整されたエネルギー検出しきい値は通信チャネル中の干渉レベルを決定するために使用される
を行うように構成された第２のモデムと
を備える、装置。
【請求項１５】
前記第２のモデムは、前記検出されたエネルギーレベル値がデフォルトのエネルギー検出しきい値を下回ると決定するようにさらに構成され、ここにおいて、前記第２のモデムは、前記第１のモデムから受信された前記検出されたエネルギーレベル値が前記デフォルトのエネルギー検出しきい値を下回ると決定することに基づいて前記エネルギー検出しきい値を調整するようにさらに構成される、請求項１４に記載の装置。
【請求項１６】
前記第２のモデムは、前記調整されたエネルギー検出しきい値に基づいて通信チャネル中の干渉レベルを決定するようにさらに構成される、請求項１４に記載の装置。
【請求項１７】
前記第１のモデムまたは前記第２のモデムの一方または両方が、前記検出されたエネルギーレベル値に基づいて前記エネルギー検出しきい値を調整するように構成される、請求項１４に記載の装置。
【請求項１８】
前記第１のモデムは、
前記測定されたエネルギーレベルと前記後続の測定されたエネルギーレベルとを含む複数の測定されたエネルギーレベルの中の最小の測定されたエネルギーレベルを決定することと、
前記決定された最小の測定されたエネルギーレベルを前記検出されたエネルギーレベル値として設定することと
を行うようにさらに構成される、請求項１４に記載の装置。
【請求項１９】
前記検出されたエネルギーレベル値を送ることは、前記第１のモデムが、前記受信されたメッセージまたは前記後続のメッセージの一方または両方に関連付けられたヘッダ情報を送るようにさらに構成されることを含む、請求項１４に記載の装置。
【請求項２０】
前記第１のモデムまたは前記第２のモデムの一方は、
前記測定されたエネルギーレベルと前記後続の測定されたエネルギーレベルとをフィルタリングすることと、
前記受信されたメッセージに関連付けられた前記測定されたエネルギーレベルと前記後続の測定されたエネルギーレベルとから前記検出されたエネルギーレベル値を決定することと
を行うように構成される、請求項１９に記載の装置。
【請求項２１】
前記第１のモデムは、
前記検出されたエネルギーレベル値を送る前に、定義された期間の間、待機することと、
前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと、
前記定義された期間の満了に応答して前記検出されたエネルギーレベル値を送ることと
を行うようにさらに構成される、請求項１４に記載の装置。
【請求項２２】
前記エネルギー検出しきい値を調整するために、前記第１のモデムまたは前記第２のモデムの一方は、前記第１のモデムから受信された前記検出されたエネルギーレベル値に基づいて前記エネルギー検出しきい値を低減するように構成される、請求項１４に記載の装置。
【請求項２３】
前記エネルギー検出しきい値を調整するために、前記第１のモデムまたは前記第２のモデムの一方は、前記検出されたエネルギーレベル値の関数として調整するように構成される、請求項１４に記載の装置。
【請求項２４】
前記検出されたエネルギーレベル値は、定義された時間期間にわたる、１つまたは複数の復号されたプリアンブルの受信信号強度インジケータ（ＲＳＳＩ）値である、請求項１４に記載の装置。
【請求項２５】
前記第１のＲＡＴは、ワイヤレスローカルエリアネットワークにしたがって動作し、前記第２のＲＡＴは、ワイヤレスワイドエリアネットワークにしたがって動作する、請求項１４に記載の装置。
【請求項２６】
前記第１のモデムまたは前記第２のモデムの一方または両方は、
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信するように構成される、
請求項１４に記載の装置。
【請求項２７】
ワイヤレス通信のための装置であって、
第１の無線アクセス技術（ＲＡＴ）を介して、前記第１のＲＡＴにしたがって動作する少なくとも１つのネットワークエンティティからメッセージを受信するための手段と、ここにおいて、前記受信されたメッセージは、測定されたエネルギーレベルで検出される、
前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信するための手段と、
前記第１のＲＡＴとは異なる第２のＲＡＴを介して、前記受信されたメッセージの前記測定されたエネルギーレベルに少なくとも基づく検出されたエネルギーレベル値を送るための手段と、ここにおいて、前記後続のメッセージは、後続の測定されたエネルギーレベルで検出され、前記検出されたエネルギーレベル値は、前記受信されたメッセージの前記測定されたエネルギーレベルと前記後続のメッセージの前記後続の測定されたエネルギーレベルとに基づいて決定される、
前記検出されたエネルギーレベル値に基づいてエネルギー検出しきい値を調整するための手段と、前記調整されたエネルギー検出しきい値は通信チャネル中の干渉レベルを決定するために使用される
を備える、装置。
【請求項２８】
ワイヤレス通信のためのコンピュータ実行可能コードを記憶する非一時的なコンピュータ可読媒体であって、
第１の無線アクセス技術（ＲＡＴ）にしたがって動作する第１のモデムによって、前記第１のＲＡＴにしたがって動作する少なくとも１つのネットワークエンティティからメッセージを受信するようにプロセッサによって実行可能なコードと、ここにおいて、前記受信されたメッセージは、測定されたエネルギーレベルで前記第１のモデムによって検出される、
前記第１のモデムによって、前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信するようにプロセッサによって実行可能なコードと、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送るように前記プロセッサによって実行可能なコードと、ここにおいて、前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
前記第１のモデムから受信された前記検出されたエネルギーレベル値に基づいてエネルギー検出しきい値を調整するように前記プロセッサによって実行可能なコードと、前記調整されたエネルギー検出しきい値は通信チャネル中の干渉レベルを決定するために使用される
を備える、非一時的なコンピュータ可読媒体。
【発明の詳細な説明】
【優先権の主張】
【０００１】
[0001]  本特許出願は、２０１４年１２月１５日出願の「RADIO ACCESS TECHNOLOGY CO-EXISTENCE USING ADAPTIVE ENERGY DETECTION」と題する米国仮特許出願第６２／０９２，１２９号、および２０１５年１２月１４日出願の「RADIO ACCESS TECHNOLOGY CO-EXISTENCE USING ADAPTIVE ENERGY DETECTION」と題する米国特許出願第１４／９６８，５６３号の優先権を主張し、これらは、その全体が本明細書に参照によって明確に組み込まれている。
【背景技術】
【０００２】
[0002]  本開示の態様は、概して、ワイヤレス通信に関する。具体的には、本態様は、適応型エネルギー検出（adaptive energy detection）を使用する干渉決定の技法に関する。
【０００３】
[0003]  ワイヤレス通信ネットワークは、音声、ビデオ、ブロードキャスト、パケットデータ、等といった、様々な通信サービスを提供するために広く展開されている。これらのワイヤレスネットワークは、利用可能なネットワークリソースを共有することによって複数のユーザをサポートすることが可能な多元接続ネットワークであり得る。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]  ワイヤレス通信ネットワークは、複数の基地局、ノードＢ、ｅノードＢ、等を含むことができ、これらは、複数のユーザ機器（ＵＥ）デバイスのための通信をサポートすることができる。ＵＥは、ダウンリンクおよびアップリンクを介してｅノードＢと通信することができる。ダウンリンク（または、順方向リンク）は、ｅノードＢからＵＥへの通信リンクを指し、アップリンク（または、逆方向リンク）は、ＵＥからｅノードＢへの通信リンクを指す。
【０００５】
[0005]  通常の基地局を補うために、スモールカバレッジ基地局またはセルと称される、追加の制限電力または制限カバレッジの基地局が、よりロバスト（robust）なワイヤレスカバレッジをモバイルデバイスに提供するために配備されることができる。例えば、ワイヤレスリレー局および低電力基地局（例えば、これらは、通称、ホームｅノードＢまたはホームｅＮＢと呼ばれ、総称して、Ｈ（ｅ）ＮＢ、フェムトセル、ピコセル、等と呼ばれ得る）は、漸増的な容量の増加、より豊かなユーザエクスペリエンス、屋内または他の特定の地理的カバレッジのために配備されることができる。このような低電力基地局またはスモールカバレッジ基地局（例えば、マクロネットワーク基地局またはセルに対する電力）は、ブロードバンド接続（例えば、デジタル加入者線（ＤＳＬ）ルータ、ケーブルまたはモデム、等）を介してインターネットに接続されることができ、これは、モバイルオペレータのネットワークへのバックホールリンクを提供することができる。
【０００６】
[0006]  よって、例えば、スモールカバレッジ基地局は、ブロードバンド接続を介して１つまたは複数のデバイスにモバイルネットワークアクセスを提供するためにユーザの家庭に配備されることができる。このような基地局の配備は計画されたものではないので、低電力基地局は、複数の局が互いのごく近辺の範囲内に配備されている場合、互いに干渉する場合がある。
【０００７】
[0007]  共有またはアンライセンス・スペクトル（a shared or unlicensed spectrum）のある特定の部分におけるワイヤレスデバイスの動作は、そのスペクトルを使用する別の無線アクセス技術（ＲＡＴ）からの干渉に遭う場合がある。例えば、ＬＴＥ（登録商標）（または他の何らかのワイヤレスワイドエリアネットワーク技術）と、別のアクセス技術（例えば、ＩＥＥＥ８０２．１１（Ｗｉ−Ｆｉ（登録商標））、８０２．１５．１（Ｂｌｕｅｔｏｏｔｈ（登録商標））、８０２．１５．４（ＺｉｇＢｅｅ）、または他の何らかのワイヤレスローカルエリアネットワーク技術によって指定されるもの）とが、アンライセンス帯域において動作し得る。共有通信チャネル内の第１のＲＡＴの信号に対する第２のＲＡＴからの干渉は、第１のＲＡＴ信号の信号品質を劣化させ得る。フィルタのような解決法が干渉を低減するために使用され得るが、そのようなフィルタは、不正確なチャネル推定に依存することが多く、また所望の信号の信号強度を低減することもあり、信号対雑音比を減少させる。
【０００８】
[0008]  前述の観点から、共有およびアンライセンス通信スペクトルにおけるワイヤレスデバイスの動作に関連する重大な課題が存在し得ることが理解され得る。
【発明の概要】
【０００９】
[0009]  様々な態様が、ここで、図面を参照して説明される。以下の記述には、説明の目的で、多くの具体的な詳細が１つまたは複数の態様の完全な理解を提供するために述べられている。しかしながら、そのような態様が、これらの具体的な詳細なしに実現され得ることは明らかであり得る。以下は、１つまたは複数の態様の基本的な理解を提供するために、そのような態様の簡略化された概要を提示するものである。
【００１０】
[0010]  本開示は、アンライセンス・スペクトルにおける適応型エネルギー検出を使用する干渉検出の方法を提供する。前記方法は、第１の無線アクセス技術（ＲＡＴ）にしたがって動作する第１のモデムが、前記第１のＲＡＴにしたがって動作する少なくとも１つのネットワークエンティティからメッセージを受信することを含み得る。ある態様において、前記第１のモデムは、測定されたエネルギーレベルで前記受信されたメッセージを検出する。前記第１のモデムは、前記第１のＲＡＴとは異なる第２のＲＡＴにしたがって動作する第２のモデムに、前記メッセージからの検出されたエネルギーレベル値を送ることができ、ここで、前記検出されたエネルギーレベル値は、前記受信されたメッセージの前記測定されたエネルギーレベルに少なくとも基づく。前記第２のモデムは、前記第１のモデムから受信された前記検出されたエネルギーレベル値に基づいてエネルギー検出しきい値を調整し得る。
【００１１】
[0011]  別の態様において、本開示は、ワイヤレス通信のための装置を提供する。前記装置は、第１のモデムを含み、前記第１のモデムは、第１のＲＡＴにしたがって動作することと、前記第１のＲＡＴにしたがって動作する少なくとも１つのネットワークエンティティからメッセージを受信することと、ここにおいて、前記受信されたメッセージは、測定されたエネルギーレベルで前記第１のモデムによって検出され、前記受信されたメッセージの前記測定されたエネルギーレベルに基づく前記検出されたエネルギーレベル値を送ることと、を行うように構成される。前記装置は、また、前記第１のＲＡＴとは異なる第２のＲＡＴにしたがって動作することと、前記第１のモデムから受信された前記検出されたエネルギーレベル値に基づいてエネルギー検出しきい値を調整することと、を行うように構成された第２のモデムも含む。
【００１２】
[0012]  別の態様において、本開示は、ワイヤレス通信のための装置を提供する。前記装置は、第１の無線アクセス技術（ＲＡＴ）を介して、前記第１のＲＡＴにしたがって動作する少なくとも１つのネットワークエンティティからメッセージを受信するための手段を含み、ここにおいて、前記受信されたメッセージは、測定されたエネルギーレベルで検出される。前記装置は、また、前記第１のＲＡＴとは異なる第２のＲＡＴを介して、前記受信されたメッセージの前記測定されたエネルギーレベルに少なくとも基づく検出されたエネルギーレベル値を送るための手段も含む。前記装置は、また、第２のモデムによって、前記検出されたエネルギーレベル値に基づいてエネルギー検出しきい値を調整するための手段も含む。
【００１３】
[0013]  別の態様において、本開示は、ワイヤレス通信のためのコンピュータ可読媒体を提供する。前記コンピュータ可読媒体は、少なくとも１つのプロセッサ上で実行されると、前記少なくとも１つのプロセッサに、第１の無線アクセス技術（ＲＡＴ）にしたがって動作する第１のモデムによって、前記第１のＲＡＴにしたがって動作する少なくとも１つのネットワークエンティティからメッセージを受信させるコードを含み、ここにおいて、前記メッセージは、検出されたエネルギーレベル値を備える。前記コンピュータ可読媒体は、また、前記プロセッサが、前記第１のモデムから、前記第１のＲＡＴとは異なる第２のＲＡＴにしたがって動作する第２のモデムに、前記メッセージからの前記検出されたエネルギーレベル値を送るためのコードも含む。前記コンピュータ可読媒体は、また、前記プロセッサが、前記第２のモデムによって、前記第１のモデムから受信された前記検出されたエネルギーレベル値に基づいてエネルギー検出しきい値を調整するためのコードも含む。
【００１４】
[0014]  本開示の様々な態様および特徴は、付随する図面に示されているように、それの様々な例を参照して以下にさらに詳しく説明される。本開示が様々な例を参照して以下に説明され、本開示がそれに限定されるものではないことが理解されるべきである。本明細書の教示を利用できる当業者は、追加のインプリメンテーション、修正、および例と、ならびに他の使用分野とを認識することになり、これらは、本明細書に説明される本開示の範囲内にあり、本開示が著しく実用的であり得ることに関連する。
【図面の簡単な説明】
【００１５】
【図１Ａ】[0015]  本開示のいくつかの態様に係る電気通信システムの例を例示するブロック図。
【図１Ｂ】[0016]  本開示のいくつかの態様に係るマルチモデムコンポーネントを例示するブロック図。
【図２】[0017]  適応型エネルギー検出を使用する干渉検出のための方法の態様を例示するフロー図。
【図３】[0018]  本開示によって企図されている電気的コンポーネントの論理的グルーピングの態様を例示するブロック図。
【図４】[0019]  本開示の態様に係る電気通信システムにおけるダウンリンクフレーム構造の例を概念的に例示するブロック図。
【図５】[0020]  本開示によるコンピュータデバイスの態様を例示するブロック図。
【図６】[0021]  処理システムを採用する装置のためのハードウェアインプリメンテーションの例を例示するブロック図。
【図７】[0022]  電気通信システムの例を概念的に例示する別のブロック図。
【図８】[0023]  アクセスネットワークの例を例示する概念図。
【図９】[0024]  電気通信システムにおいてＵＥと通信しているノードＢの例を概念的に例示するブロック図。
【詳細な説明】
【００１６】
[0025]  添付の図面に関連して以下に述べられる詳細な説明は、様々な構成の説明として意図されており、本明細書に説明される概念が実現され得る唯一の構成を表すように意図されたものではない。詳細な説明は、様々な概念の完全な理解を提供する目的で具体的な詳細を含む。しかしながら、これらの概念がこれらの具体的な詳細なしに実現され得ることが当業者には明らかになるであろう。いくつかの事例において、周知のコンポーネントが、そのような概念を曖昧にすることを避けるためにブロック図の形態で示されている。
【００１７】
[0026]  本明細書で説明される技法は、ＣＤＭＡ、ＴＤＭＡ、ＦＤＭＡ、ＯＦＤＭＡ、ＳＣ−ＦＤＭＡ、および他のネットワークのような、様々なワイヤレス通信ネットワークのために使用され得る。「ネットワーク」および「システム」という用語は、よく交換可能に使用される。ＣＤＭＡネットワークは、ユニバーサル地上無線アクセス（ＵＴＲＡ）、ｃｄｍａ２０００、等のような無線技術をインプリメントし得る。ＵＴＲＡは広帯域ＣＤＭＡ（ＷＣＤＭＡ（登録商標））およびＣＤＭＡの他の変形物を含む。ｃｄｍａ２０００はＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、フラッシュＯＦＤＭＡ、等といった、無線技術をインプリメントし得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＩＴＳ、ＬＴＥ、ＬＴＥ−Ａ、およびＧＳＭは、「第３世代パートナーシッププロジェクト」（３ＧＰＰ）という名称の団体からの文書に説明されている。ｃｄｍａ２０００およびＵＭＢは、「第３世代パートナーシッププロジェクト２」（３ＧＰＰ２）という名称の団体からの文書に説明されている。本明細書に説明されている技法は、上述されたワイヤレスネットワークおよび無線技術と、ならびに他のワイヤレスネットワークおよび無線技術とのために使用されることができる。明確にするために、本技法のある特定の態様がＬＴＥに関して以下に説明されており、ＬＴＥの専門用語が以下の説明の大部分において使用されている。
【００１８】
[0027]  共有のアンライセンス・スペクトルにおいて動作するワイヤレスデバイスは、２つ以上の無線アクセス技術（ＲＡＴ）のタイプにおいて信号を送信する、またはそれらからの信号を受信するように構成され得る。例えば、ワイヤレスデバイスは、ＬＴＥ信号（または、他の何らかのワイヤレスワイドエリアネットワーク技術からの信号）、およびＩＥＥＥ８０２．１１（Ｗｉ−Ｆｉ）信号（または、他の何らかのワイヤレスローカルエリアネットワーク技術からの信号）の両方を受信するように構成され得る。ある態様において、この状況に限定されるものではないが、受信されるＬＴＥ信号およびＷｉ−Ｆｉ信号は、同じ周波数帯域（例えば、限定ではないが、２．４ＧＨｚまたは５ＧＨｚのアンライセンス周波数帯域といった、ワイヤレスデバイスが信号を送信または受信することができるチャネルに一般に関連付けられる周波数の範囲）において受信され得る。ワイヤレスデバイスは、送信または受信されることになる所望の信号に依存して、異なる信号を処理するためのモデムコンポーネント（例えば、モデムプロセッサおよび／または他の関連するハードウェアおよびソフトウェア）を有することができる。
【００１９】
[0028]  ワイヤレスデバイスが共有のアンライセンス・スペクトルにおいて動作しているので、典型的に、ワイヤレスデバイスは、そのワイヤレスデバイスが送信することを望むチャネルに実質的に他の送信がないかを決定するために、リッスン・ビフォア・トーク（ＬＢＴ：listen before talk）プロシージャとも称される、クリアチャネルアセスメント（ＣＣＡ：clear channel assessment）プロシージャを行うことが必要になるであろう。ある態様において、本解決法によると、２つのＲＡＴタイプのためのモデムコンポーネントが通信可能に結合されることができ、その結果、これらモデムコンポーネントが送信間の干渉を低減するのに有用な情報を共有することができ、それによって、共有周波数スペクトルを使用する異なるＲＡＴ間でのより良好な共存を可能にする。
【００２０】
[0029]  ある態様において、ワイヤレスデバイスは、少なくとも１つの受信された第１のＲＡＴメッセージに関連付けられたエネルギーレベルを検出するために、第１のＲＡＴ（例えば、Ｗｉ−Ｆｉ）に基づいて、またはそれにしたがって動作するモデムを使用し得る。ワイヤレスデバイスは、チャネル中の干渉レベルを決定するために、検出されたエネルギーレベル値を、適応型エネルギー検出方法を行うときに使用し得、最終的に、そのチャネルが占有されているかどうかを決定する。ある態様において、第１のＲＡＴに基づいて動作する受信機は、第１のＲＡＴに基づいて動作する１つまたは複数のメッセージを受信し得る。これらの第１のＲＡＴメッセージの各々は、第１のＲＡＴに基づいて動作するネットワークエンティティによって生成され得る。ある態様において、これらのネットワークエンティティの各々は、ワイヤレスデバイスによる送信に応答して第１のＲＡＴメッセージを生成し得る。ある態様において、ワイヤレスデバイスによって生成される送信は、第１のＲＡＴに関連付けられたシグネチャ(signature)（例えば、プリアンブル）を有する。
【００２１】
[0030]  ある態様において、第１のＲＡＴに基づいて動作するモデムは、ワイヤレスデバイスにおける、第２のＲＡＴ（例えば、ＬＴＥ）に基づいて、またはそれにしたがって動作するモデムに、検出されたエネルギーレベルを送り得る。ある態様において、第１のＲＡＴモデムは、両方のモデムに接続されたコントローラに、検出されたエネルギーレベル値を送り得、それは、第２のＲＡＴモデムに直近の検出されたエネルギーレベル値を周期的に送り得る。ある態様において、コントローラは、第１のＲＡＴモデムによって受信されたメッセージに関連付けられた情報を渡すハードウェアまたはソフトウェアコントローラであり得る。ある態様において、コントローラは、エネルギーレベル値（例えば、受信信号強度インジケーション（ＲＳＳＩ））に加えて、例えば、受信（incoming）メッセージに関連付けられた媒体アクセス制御（ＭＡＣ）ヘッダ情報のようなヘッダ情報を含む他の情報を送り得る。ある態様において、第２のＲＡＴモデムは、例えば、Ｗｉ−Ｆｉプリアンブルを使用して、ＬＴＥデバイスによって送られたメッセージとＷｉ−Ｆｉデバイスによって送られたメッセージとを区別するために、適応型エネルギー検出（ＡＥＤ：adapted energy detection）動作において、コントローラから受信された情報を使用し得る。
【００２２】
[0031]  ある態様において、ＡＥＤ動作のためのエネルギーしきい値の計算が、第１のＲＡＴモデムまたは第２のＲＡＴモデムのいずれかによって行われ得る。ある態様において、それぞれのモデムは、エネルギー検出しきい値（例えば、第２のモデムが送信しないということを引き起こすであろう、チャネル中の検出されたエネルギーのしきい値量）を更新するために、第１のＲＡＴモデムによって決定された検出されたエネルギーレベルを使用することができ、その結果、ＡＥＤ動作の結果は、第１のＲＡＴモデムによって受信されたメッセージのエネルギーレベルの関数（a function）であり得る。ある態様において、第１のＲＡＴモデムは、検出されたエネルギーレベル値を周期的に更新し得る。このような事例において、ＡＥＤ動作の結果は、直近の間隔の間に第１のＲＡＴモデムによって受信された第１のＲＡＴメッセージの関数であり得る。
【００２３】
[0032]  よって、例えば、本態様は、共有周波数スペクトルにおけるＬＴＥ送信とＷｉ−Ｆｉ送信との間の共存を可能にすることができる。例えば、限定として考えられるべきではない特定のケースにおいて、本態様によると、コロケートされた（co-located）Ｗｉ−Ｆｉモデムからの検出されたエネルギーレベルの比較的長期の統計を観測することによって、ＬＴＥモデムは、それのエネルギー検出しきい値を適応的に低くして将来のＷｉ−Ｆｉ送信のために譲歩すること(deferring)を可能にすることができる。
【００２４】
[0033]  図１Ａは、例となる通信システム１００のいくつかのノード（例えば、通信ネットワークの一部分）を例示する。例示の目的で、本開示の様々な態様が、互いに通信する、１つまたは複数のアクセス端末、アクセスポイント（ＡＰ）、およびネットワークエンティティ（ＮＥ）のコンテキストで説明されることになる。しかしながら、本明細書の教示は、他のタイプの装置、または他の用語を使用して参照される他の同様の装置に適用可能であり得ることが理解されるべきである。例えば、様々なインプリメンテーションにおいて、アクセスポイントは、基地局、ノードＢ、ｅノードＢ、ホームノードＢ、ホームｅノードＢ、スモールセル、マクロセル、フェムトセル、等と称され得るか、またはそれらとしてインプリメントされ得る。同様の方法で、アクセス端末は、ユーザ機器（ＵＥ）、モバイル局、等と称され得るか、またはそれらとしてインプリメントされ得る。
【００２５】
[0034]  「スモールセル」という用語は、本明細書で使用されるとき、マクロセルの送信電力および／またはカバレッジエリアと比較して、比較的低い送信電力および／または比較的小さいカバレッジエリアのセルを指す。さらに、「スモールセル」という用語は、限定ではないが、フェムトセル、ピコセル、アクセスポイント基地局、ホームノードＢ、またはフェムトアクセスポイントといったセルを含み得る。例えば、マクロセルは、限定ではないが、半径数キロメートルといった、比較的大きい地理的エリアをカバーし得る。対照的に、ピコセルは、限定ではないが、建物といった、比較的小さい地理的エリアをカバーし得る。さらに、フェムトセルもまた、限定ではないが、家庭または建物のフロアといった、比較的小さい地理的エリアをカバーし得る。
【００２６】
[0035]  本開示は、いくつかの態様において、２つ以上のＲＡＴタイプからの信号の同時の受信と復号を促進する技法に関する。便宜上、アンライセンス無線周波数（ＲＦ）帯域における適用のためのＬＴＥおよび／またはＬＴＥアドバンストの使用、動作、拡張、および／または適応は、本明細書では、「アンライセンス・スペクトルにおけるＬＴＥ／ＬＴＥアドバンスト」、「アンライセンス・スペクトルにおけるＬＴＥ／ＬＴＥアドバンストを適応させること」、「アンライセンス・スペクトルにＬＴＥ／ＬＴＥアドバンストを拡張すること」、および「アンライセンス・スペクトルを介したＬＴＥ／ＬＴＥアドバンスト通信」、等と称され得る。さらに、アンライセンス・スペクトルにおけるＬＴＥ／ＬＴＥアドバンストを提供、適応、または拡張するネットワークまたはデバイスは、コンテンションベースの無線周波数帯域またはスペクトルにおいて動作するように構成されたネットワークまたはデバイスを指し得る。
【００２７】
[0036]  ある態様において、通信システム１００は、スペクトルの共有部分を使用して通信することができる様々なデバイスを含み得る。１つの例において、スペクトルの共有部分は、スペクトルのアンライセンス部分を含み得る。スペクトルの共有部分は、例えば、１つより多くの技術またはネットワークによる使用を可能にする任意の周波数帯域を含み得る。例えば、デバイスは５ＧＨｚ帯域の一部分を使用し得、それは、アンライセンス全米情報基盤（Ｕ−ＮＩＩ：unlicensed national information infrastructure）無線帯域とも称され得る。
【００２８】
[0037]  システム１００内のアクセスポイントは、システム１００のカバレッジエリア内に設置され得る、またはそのカバレッジエリア全体にわたってローミングし得る、１つまたは複数のワイヤレス端末（例えば、アクセス端末１０２またはアクセス端末１０４）に、１つまたは複数のサービスへのアクセス（例えば、ネットワーク接続）を提供し得る。例えば、様々な時点において、アクセス端末１０２は、アクセスポイント１０６、またはアクセスポイント１０８のようなシステム１００内の他の何らかのアクセスポイントに接続し得る。同様に、アクセス端末１０４は、アクセスポイント１０６、アクセスポイント１０８、または他の何らかのアクセスポイントに接続し得る。
【００２９】
[0038]  アクセスポイントのうちの１つまたは複数は、ワイドエリアネットワーク（ＷＡＮ）接続を促進するために、互いを含む１つまたは複数のネットワークエンティティ（便宜上、ネットワークエンティティ１１０によって表される）と通信し得る。そのようなネットワークエンティティのうちの２つ以上がコロケートされ得、および／またはそのようなネットワークエンティティのうちの２つ以上がネットワーク全体にわたって分布し得る。
【００３０】
[0039]  ネットワークエンティティは、例えば、１つまたは複数の無線ネットワークエンティティおよび／またはコアネットワークエンティティといった、様々な形態をとり得る。よって、様々なインプリメンテーションにおいて、ネットワークエンティティ１１０は、（例えば、動作、アドミニストレーション、管理、およびプロビジョニングエンティティを介した）ネットワーク管理、呼制御、セッション管理、モビリティ管理、ゲートウェイ機能、インターワーキング機能、または他の何らかの好適なネットワーク機能のうちの少なくとも１つといった機能を表し得る。いくつかの態様において、モビリティ管理は、追跡エリア、ロケーションエリア、ルーティングエリア、または他の何らかの好適な技法の使用を通してアクセス端末の現在のロケーションの経過を追うこと、アクセス端末のためのページングを制御すること、および／またはアクセス端末にアクセス制御を提供することに関わる。
【００３１】
[0040]  アクセスポイント１０６は、第１のＲＡＴ無線機１１２と第２のＲＡＴ無線機１１４とを含むワイヤレスデバイスであり得る。第１のＲＡＴ無線機１１２は、インターフェース１１６を通して第２のＲＡＴ無線機１１４に接続され得る。アクセスポイント１０６（または、システム１００内の他の任意のデバイス）が所与のリソース上で通信するために（第２のＲＡＴ無線機１１４を介して）第２のＲＡＴを使用するとき、この通信は、通信するために第１のＲＡＴを使用する近くのデバイス（例えば、アクセス端末１０４および／またはアクセスポイント１０８）からの干渉を受けやすい場合がある。例えば、特定のアンライセンスＲＦ帯域上でのＬＴＥ無線機１１４を介したアクセスポイント１０６による通信は、その帯域上で動作するアクセス端末１０４およびアクセスポイント１０８からの干渉を受けやすい場合がある。便宜上、アンライセンスＲＦ帯域上のＬＴＥは、本明細書では、周囲のコンテキストにおいて、アンライセンス・スペクトルにおけるＬＴＥ／ＬＴＥアドバンスト、ＬＴＥ−Ｕ、または単にＬＴＥと称され得る。
【００３２】
[0041]  いくつかのシステムにおいて、アンライセンス・スペクトルにおけるＬＴＥは、スタンドアロン構成で採用され得、すべてのキャリアが、ワイヤレススペクトルのアンライセンス部分でだけ動作する（例えば、ＬＴＥスタンドアロン）。他のシステムにおいて、ＬＴＥ−Ｕは、ワイヤレススペクトルのライセンス部分で動作するアンカーのライセンスキャリアと併せてワイヤレススペクトルのアンライセンス部分で動作する１つまたは複数のアンライセンスキャリアを提供することによって、ライセンス帯域動作を補足する方法で採用され得る（例えば、ＬＴＥ付加ダウンリンク（ＳＤＬ：Supplemental DownLink））。いずれのケースでも、キャリアアグリゲーション（ＣＡ）が、異なるコンポーネントキャリアを管理するために採用され得、１つのキャリアが、対応するユーザ機器（ＵＥ）のためのプライマリーセル（ＰＣｅｌｌ）（例えば、ＬＴＥ ＳＤＬにおけるアンカーライセンスキャリアまたはＬＴＥスタンドアロンのアンライセンスキャリアのうちの指定された１つ）としての役割をし、残りのキャリアは、それぞれのセカンダリセル（ＳＣｅｌｌ）としての役割をする。この方法で、ＰＣｅｌｌは、ＦＤＤペアのダウンリンクとアップリンク（ライセンスまたはアンライセンス）を提供し得、各ＳＣｅｌｌは、所望通り、追加のダウンリンク容量を提供し得る。
【００３３】
[0042]  一般に、ＬＴＥは、ダウンリンク上では直交周波数分割多元接続（ＯＦＤＭＡ）を使用し、アップリンク上ではシングルキャリア周波数分割多重（ＳＣ−ＦＤＭ）を使用する。ＯＦＤＭＡおよびＳＣ−ＦＤＭは、システム帯域幅を複数（Ｋ個）の直交サブキャリアに区分し、それらは、通称、トーン、ビン、等とも呼ばれる。各サブキャリアは、データで変調され得る。一般に、変調シンボルは、ＯＦＤＭＡでは周波数領域で、ＳＣ−ＦＤＭでは時間領域で送られる。隣接サブキャリア間の間隔（spacing）は固定され得、サブキャリアの総数（Ｋ個）は、システム帯域幅に依存し得る。例えば、Ｋは、１．２５、２．５、５、１０、または２０メガヘルツ（ＭＨｚ）のシステム帯域幅の場合、それぞれ、１２８、２５６、５１２、１０２４、または２０４８に等しくてもよい。システム帯域幅は、また、サブバンドに区分され得る。例えば、１つのサブバンドは、１．０８ＭＨｚをカバーし得、１．２５、２．５、５、１０、または２０ＭＨｚのシステム帯域幅の場合、それぞれ、１、２、４、８、または１６個のサブバンドが存在し得る。
【００３４】
[0043]  ＬＴＥは、また、キャリアアグリゲーションも使用し得る。ＵＥ（例えば、ＬＴＥ−アドバンスト対応のＵＥ）は、送信および受信のために使用される最大で合計１００ＭＨｚ（５つのコンポーネントキャリア）のキャリアアグリゲーションにおいて割り振られる最大２０ＭＨｚの帯域幅のスペクトルを使用し得る。ＬＴＥ−アドバンスト対応のワイヤレス通信システムの場合、連続的なＣＡおよび不連続的なＣＡという、２つのタイプのキャリアアグリゲーションの方法が提案されている。連続的なＣＡは、複数の利用可能なコンポーネントキャリアが互いに隣接しているときに生じる。代替的に、不連続的なＣＡは、隣接していない複数の利用可能なコンポーネントキャリアが周波数帯域に沿って隔てられているときに生じる。不連続的なＣＡと連続的なＣＡの両方は、ＬＴＥアドバンストＵＥの単一ユニットにサービス提供するために複数のコンポーネントキャリアをアグリゲートし得る。
【００３５】
[0044]  ある態様において、アクセス端末１０２および／またはアクセスポイント１０６は、２つ以上のＲＡＴタイプに基づいて、またはそれにしたがって動作する通信のために構成され得る。ある態様において、アクセス端末１０２および／またはアクセスポイント１０６は、マルチモデムコンポーネント１２０を含み得る。ある態様において、本明細書で使用される「コンポーネント」という用語は、システムを構成するパーツのうちの１つであり得、ハードウェアまたはソフトウェアであり得、そして他のコンポーネントに分割され得る。マルチモデムコンポーネント１２０は、ＲＦフロントエンド１２２、ＬＴＥモデム１３０ならびにＷｉ−Ｆｉモデム１４０のような２つ以上のＲＡＴモデム、およびコントローラ１５０を組み込み得る。ある態様において、マルチモデムコンポーネント１２０は、単一のシリコンダイ上に形成され得る。ある態様において、マルチモデムコンポーネント１２０は、また、ソフトウェア定義の無線を使用してインプリメントされる態様を有する、集中型（converged）ＬＴＥおよびＷｉ−Ｆｉモデムとして単一のシリコンダイ上にインプリメントされ得る。マルチモデムコンポーネント１２０は、２つ以上のＲＡＴの間で使用されることになる、キャリア、アンテナ、およびコンピューティングリソースのようなリソースの割振りを変更し得る。マルチモデムコンポーネント１２０は、また、例えば、レガシープロトコルとの後方互換性をサポートする、複数の動作モードもサポートし得る。
【００３６】
[0045]  ＲＦフロントエンド１２２は、結合されたＲＦ信号を受信するためのハードウェアおよび／またはソフトウェア手段を含み得る。例えば、ＲＦフロントエンド１２２は、複数の別個の無線アンテナ１２４を含み得る。アンテナ１２４は、受信ダイバーシティを提供するように空間的に隔てられ得る。ある態様において、ＲＦフロントエンド１２２は、さらに、アナログフィルタおよびアナログ・デジタル（Ａ／Ｄ）変換器１２６のような、他の受信チェーンフロントエンドコンポーネントを含み得る。
【００３７】
[0046]  ＬＴＥモデム１３０は、回路、１つまたは複数のプロセッサ、メモリのようなハードウェア、および／またはＬＴＥ信号を処理するための他の手段を含み得る。例えば、ＬＴＥモデム１３０は、アンライセンス・スペクトルにおけるＬＴＥのための信号を処理するように構成され得る。ある態様において、例えば、ＬＴＥモデム１３０は、受信機１３２、送信機１３４、およびフィルタ１３６を含み得る。ある態様において、ＬＴＥモデム１３０は、チャネルの干渉レベルを決定するために、例えば、エネルギー検出動作のような干渉検出動作を行うように構成され得る。
【００３８】
[0047]  ある態様において、ＬＴＥモデム１３０は、例えば、アクセス端末１０４、アクセスポイント１０８、および／またはネットワークエンティティ１１０を含む、他のネットワークエンティティの存在を決定するために、エネルギーレベルしきい値を使用し得る。ＬＴＥモデム１３０が、エネルギーレベルしきい値を上回るエネルギーレベルを感知すると、ＬＴＥモデム１３０は、第１のＲＡＴに基づいて、またはそれにしたがって動作する１つまたは複数のエンティティの存在を干渉レベルが示すことを決定し得る。ある態様において、ＬＴＥモデム１３０は、コントローラ１５０を介して、Ｗｉ−Ｆモデム１４０からエネルギーレベル値を受信し得る。このような事例において、ＬＴＥモデム１３０は、それのエネルギー検出動作で使用されるエネルギーレベルしきい値を、Ｗｉ−Ｆｉモデム１４０から受信されたエネルギーレベル値のそれに調整し得る。
【００３９】
[0048]  ＬＴＥ受信機１３２は、ＲＦフロントエンド１２２から受信されたＬＴＥ無線信号を受信および復号するように構成され得る。ある態様において、受信機１３２は、さらに、復号されたＬＴＥ信号に基づいて、ＬＴＥ信号に関するチャネル推定値を生成するように構成され得る。
【００４０】
[0049]  ＬＴＥ送信機１３４は、ＭＡＣトランスポートブロックのような、デジタル入力に基づいて、変調されたＬＴＥ信号を生成するように構成され得る。ある態様において、送信機１３４は、ワイヤレスデバイスのプロトコルスタック（例えば、アクセス端末１０２またはアクセスポイント１０６に含まれるプロトコルスタック）からデジタル入力を受信し得る。別の態様において、送信機１３４は、復調された受信信号の形態でデジタル入力を受信し得る。送信機１３４は、受信機１３２から復調された受信信号を受信し、新たなＬＴＥ信号を生成するためにその信号を再変調し得る。ある態様において、再変調されたＬＴＥ信号は、第２のＲＡＴ信号を向上させるための除去フィルタを構成するために使用され得る。
【００４１】
[0050]  フィルタ１３６は、受信（incoming）ＬＴＥ信号の信号品質を向上させるように構成された１つまたは複数のデジタルフィルタを含み得る。例えば、フィルタ１３６は、第１のＲＡＴ信号からの干渉を低減するように構成された空間・時間フィルタ（a space-time filter）であり得る。空間・時間フィルタ１３６は、第１のＲＡＴ受信機（ここでは、Ｗｉ−Ｆｉ受信機１４２）によって提供されたチャネル推定値に基づいて構成され得る。別の態様において、フィルタ１３６は除去フィルタであり得る。除去フィルタは、ＬＴＥ信号から第１のＲＡＴ信号を除去するために使用され得る。除去フィルタは、送信機１４４のような第１のＲＡＴ送信機によって生成された第１のＲＡＴ信号に基づいて構成され得る。
【００４２】
[0051]  Ｗｉ−Ｆｉモデム１４０は、Ｗｉ−Ｆｉ信号を処理するように構成されたハードウェアを含み得る。ある態様において、例えば、Ｗｉ−Ｆｉモデム１４０は、受信機１４２、送信機１４４、およびフィルタ１４６を含み得る。ある態様において、Ｗｉ−Ｆｉモデム１４０は、送信を送り出し、ネットワークエンティティからメッセージを受信するように構成され得、Ｗｉ−Ｆｉモデム１４０が、受信されたメッセージの電力レベルを決定する。ある態様において、Ｗｉ−Ｆｉモデム１４０は、電力検出動作のような干渉レベル動作のために、決定された電力レベルをＬＴＥモデム１３０に送り得る。ある態様において、Ｗｉ−Ｆｉモデム１４０は、メッセージを受信したときにそれが決定した電力レベルを使用して電力検出を行い得る。
【００４３】
[0052]  Ｗｉ−Ｆｉ受信機１４２は、ＲＦフロントエンド１２２から受信されたＷｉ−Ｆｉ無線信号を受信および復号するように構成され得る。ある態様において、受信機１４２は、さらに、復号されたＷｉ−Ｆｉ信号に基づいて、Ｗｉ−Ｆｉ信号に関するチャネル推定値を生成するように構成され得る。ある態様において、Ｗｉ−Ｆｉ受信機１４２は、アクセス端末１０４、アクセスポイント１０８、および／またはネットワークエンティティ１１０のような、１つまたは複数のネットワークエンティティからメッセージを受信するように構成され得る。ある態様において、Ｗｉ−Ｆｉ受信機１４２が受信するメッセージは、Ｗｉ−Ｆｉ送信機１４４によって送られた送信に応答するものであり得る。ある態様において、Ｗｉ−Ｆｉモデム１４０は、受信されたメッセージに属性を関連付けるために、メッセージヘッダまたは測定されたエネルギーレベルといった、受信されたメッセージのコンポーネントおよび／または属性を使用し得る。ある態様において、Ｗｉ−Ｆｉモデム１４０は、これらの属性のうちの１つまたは複数をＬＴＥモデム１３０に送り得る。
【００４４】
[0053]  Ｗｉ−Ｆｉ送信機１４４は、ＭＡＣトランスポートブロックのような、デジタル入力に基づいて、変調されたＷｉ−Ｆｉ信号を生成するように構成され得る。ある態様において、Ｗｉ−Ｆｉ送信機１４４は、ワイヤレスデバイスのプロトコルスタック（例えば、アクセス端末１０２またはアクセスポイント１０６に含まれるプロトコルスタック）からデジタル入力を受信し得る。別の態様において、送信機１４４は、復調された受信信号の形態でデジタル入力を受信し得る。送信機１４４は、復調された受信信号を受信機１４２から受信し得る。送信機１４４は、新たなＷｉ−Ｆｉ信号を生成するために、復調された受信信号を再変調し得る。ある態様において、新たなＷｉ−Ｆｉ信号は、例えば、第２のＲＡＴ信号を向上させるための除去フィルタを構成するために使用され得る。
【００４５】
[0054]  別の態様において、Ｗｉ−Ｆｉ送信機１４４は、第１のＲＡＴに基づいて、またはそれにしたがって動作する他のネットワークエンティティに送信を送るように構成され得る。ある態様において、その送信は、第１のＲＡＴに関するシグネチャ（例えば、プリアンブル）を含むメッセージであり得る。例えば、Ｗｉ−Ｆｉモデム１４０は、例えば、モデム間で共有され得る周波数またはチャネルにおいてＬＴＥモデム１３０がＬＴＥ送信メッセージを送ることを予定しているというインジケーションを受信し得る。Ｗｉ−Ｆｉモデム１４０は、ＬＴＥ送信メッセージのためのチャネルをクリアにするために、ＬＴＥ送信に先立って、第１のＲＡＴに基づいて、またはそれにしたがって動作する他のデバイスに、メッセージ（例えば、チャネル使用またはチャネル予約メッセージ）を送るように送信機１４４を構成し得る。別の態様において、送信機１４４は、受信機１４２によって受信されることになるメッセージを送るように、第１のＲＡＴに基づいて、またはそれにしたがって動作するネットワークエンティティをトリガするための送信を送るように構成され得る。Ｗｉ−Ｆｉモデム１４０は、受信された第１のＲＡＴメッセージの各々のエネルギーレベルを検出するために、受信されたメッセージを使用し得る。
【００４６】
[0055]  フィルタ１４６は、受信Ｗｉ−Ｆｉ信号の信号品質を向上させるように構成された１つまたは複数のデジタルフィルタを含み得る。例えば、フィルタ１４６は、第２のＲＡＴ信号からの干渉を低減するように構成された空間・時間フィルタであり得る。空間・時間フィルタ１４６は、第２のＲＡＴ受信機（ここでは、ＬＴＥ受信機１３２）によって提供されたチャネル推定値に基づいて構成され得る。空間・時間フィルタ１４６は、１つまたは複数のＬＴＥストリームをヌルにする（null out）ＬＴＥヌラー（nuller）として構成され得る。別の態様において、フィルタ１４６は除去フィルタであり得る。除去フィルタは、Ｗｉ−Ｆｉ信号から第２のＲＡＴ信号を除去するために使用され得る。除去フィルタは、送信機１４４のような第１のＲＡＴ送信機によって生成された第２のＲＡＴ信号に基づいて構成され得る。
【００４７】
[0056]  コントローラ１５０は、ＬＴＥモデム１３０とＷｉ−Ｆｉモデム１４０との間でデータおよびメッセージを送信するためにプロセッサによって実行可能なソフトウェアコードまたは命令および／またはハードウェアであり得る。ある態様において、コントローラ１５０は、モデム１３０、１４０を介して送信および受信されているデータの処理を行い得る。コントローラ１５０は、モデム１３０、１４０内の様々な回路の動作を制御し得る。ある態様において、コントローラ１５０は、Ｗｉ−Ｆｉモデム１４０からメッセージを受信し得、ＬＴＥモデム１３０にそれらのメッセージを送り得る。ある態様において、コントローラ１５０がＷｉ−Ｆｉモデム１４０から受信するメッセージは、受信された第１のＲＡＴメッセージに関連付けられた、更新されたエネルギーレベル値および／またはヘッダ情報を含むメッセージのような、統計メッセージであり得る。ある態様において、コントローラ１５０は、ＬＴＥモデム１３０に統計メッセージを送る前に、指定された期間（例えば、１００ｍｓから１秒）の間、待機し得る。
【００４８】
[0057]  図１Ｂは、本開示のいくつかの態様に係るマルチモデムコンポーネント１２０を例示するブロック図である。いくつかの態様において、マルチモデムコンポーネント１２０は、ＬＴＥモデム１３０とＷｉ−Ｆｉモデム１４０との間のインタラクションに基づいて適応型エネルギー検出を行うように構成され得る。例えば、ＬＴＥモデム１３０は、ＬＴＥモデム１３０のクリアチャネルアセスメント（ＣＣＡ）またはリッスン・ビフォア・トーク（ＬＢＴ）エネルギー検出の挙動を調整するために、速い時間スケール（例えば、定義された時間期間１７２）でのＷｉ−Ｆｉモデム１４０からの測定値（例えば、ＲＳＳＩ）を使用し得、それによって、ＬＴＥ技術とＷｉ−Ｆｉ技術との間の共存を可能にする。
【００４９】
[0058]  具体的には、マルチモデムコンポーネント１２０のＷｉ−Ｆｉモデム１４０は、ネットワークエンティティ１１０から１つまたは複数のメッセージ１６０を最初に受信し得る。例えば、Ｗｉ−Ｆｉモデム１４０は、例えば、ＬＴＥモデム１３０が送信することができる周波数またはチャネルを含む１つまたは複数の通信チャネルに対してプリアンブル検出を行う一環として、１つまたは複数のメッセージ１６０を受信し得る。Ｗｉ−Ｆｉモデム１４０が１つまたは複数のメッセージ１６０の各１つを受信すると、対応する受信信号強度測定値が作成、検出、またはそうでなければ決定され得る。すなわち、Ｗｉ−Ｆｉモデム１４０は、１つまたは複数のメッセージ１６０に関する受信信号強度情報１６２および／またはヘッダ情報１６４（例えば、共有スペクトルにおけるＬＴＥ送信にＷｉ−Ｆｉノードを譲歩させるために、ＬＴＥ送信の一環としてＬＴＥデバイスが８０２．ｘｘプリアンブルを送るように構成されているケースにおいて、Ｗｉ−Ｆｉデバイスによって送信された８０２．ｘｘプリアンブルとＬＴＥデバイスが送る８０２．ｘｘプリアンブルとを見分けるための、例えば、検出されたプリアンブル）の一方または両方を決定するように構成され得る。
【００５０】
[0059]  いくつかの態様において、受信信号強度情報１６２は、定義された時間期間１７２にわたる１つまたは複数の復号されたプリアンブルのＲＳＳＩ値であり得るか、またはそうでなければ、それらのＲＳＳＩ値を含み得る。追加的に、いくつかの態様において、ヘッダ情報１６４は、１つまたは複数のメッセージ１６０に関する、またはそれに関連付けられた、ＭＡＣレイヤヘッダ情報を含み得る。
【００５１】
[0060]  Ｗｉ−Ｆｉモデム１４０は、次いで、受信信号強度情報１６２またはヘッダ情報１６４の一方または両方をキューアー（queuer）１７０に提供し得るか、または送り得、それは、定義された時間期間１７２の間、それら測定値をキューに入れる（queue）ように構成され得る。例えば、時間期間１７２は、Ｗｉ−Ｆｉアクティビティを検出することと共有周波数またはチャネルを使用するＬＴＥ送信を遅らせることとを行うために使用されるエネルギー検出しきい値１６６を本態様のオペレータがどのくらい迅速に調整することを望み得るかに依存して、またはどのくらい正確な統計サンプルがオペレータによって望まれているかに基づいて変わる値を有する、設定された時間量であり得る。例えば、時間期間１７２は、受信信号強度情報１６２またはヘッダ情報１６４がＬＴＥモデム１３０にどのくらい迅速に送信され得るかに対応する低値（例えば、限定ではないが、１００ｍｓ）から、良好な統計サンプルに対応する高値（典型的なＷｉ−Ｆｉ送信が５ｍｓ〜１０ｍｓ続き、また１００個のサンプルが良好な統計サンプルサイズであることに基づいて、例えば、限定ではないが、１秒）までの範囲であり得る。したがって、受信信号強度情報１６２および／またはヘッダ情報１６４は、（例えば、定義された時間期間１７２にしたがって）十分なサンプリングサイズが満たされたときに、または周期的に、ＬＴＥモデム１３０に提供され得る。定義された時間期間１７２が経過した、または満たされた（例えば、Ｎｍｓであって、ここで、Ｎは正数である）というキューアー１７０による決定時に、キューアー１７０は、受信信号強度情報１６２および／またはヘッダ情報１６４をＬＴＥモデム１３０に提供するか、または送るように構成され得る。
【００５２】
[0061]  このように、ある態様において、ＬＴＥモデム１３０は、受信信号強度情報１６２および／またはヘッダ情報１６４に基づいてエネルギー検出しきい値１６６を調整するように構成され得る。例えば、エネルギー検出しきい値１６６は、ある周波数またはチャネル上でＬＴＥモデム１３０が送信することを可能にするために、その周波数またはチャネルが、他の送信、または雑音、または干渉から十分にクリアであるか否かを示す値を有するしきい値であり得る（例えば、受信されたエネルギーの検出された量がしきい値を満たさない場合、チャネルはクリアである）。
【００５３】
[0062]  別の態様において、Ｗｉ−Ｆｉモデム１４０またはキューアー１７０またはＬＴＥモデム１３０は、Ｗｉ−Ｆｉデバイスの送信からの受信信号強度情報１６２のみがエネルギー検出しきい値１６６を調整するときに考慮されるように、受信信号強度情報１６２をフィルタリングし得る。例えば、フィルタリングは、ヘッダ情報１６４に基づき得、これは、Ｗｉ−Ｆｉデバイスによって送信された８０２．ｘｘプリアンブルとＬＴＥデバイスが送る８０２．ｘｘプリアンブルとを見分けることを可能にする。このように、この態様において、エネルギー検出しきい値１６６は、ＬＴＥモデム１３０がある周波数またはチャネル上で送信することを可能にするために、その周波数またはチャネルが、Ｗｉ−Ｆｉデバイスの送信から十分にクリアであるか否かを示す値を有するしきい値として、より具体的に定義され得る（例えば、受信されたエネルギーの検出された量がしきい値を満たさいない場合、チャネルはクリアである）。例えば、この態様において、ＬＴＥ対応デバイスおよびＬＴＥ送信は、干渉除去を可能にするか、またはそうでなければオーバーラップしているＬＴＥ送信の復号を可能にするように構成されているので、ＬＴＥモデム１３０は、共有周波数またはチャネルに他のＬＴＥ送信が存在する際には送信を遅らせないように構成され得る。
【００５４】
[0063]  追加的に、ある態様において、１つまたは複数のメッセージ１６０に関する受信信号強度情報１６２および／またはヘッダ情報１６４は、例えば、共有周波数スペクトルにおいてＬＴＥモデム１３０が送信し得る同じ周波数またはチャネルに関連付けられ得る。
【００５５】
[0064]  いくつかの態様において、ＬＴＥモデム１３０は、１つまたは複数のメッセージ１６０に関連付けられた受信信号強度情報１６２および／またはヘッダ情報１６４に基づいて、エネルギー検出しきい値１６６を低くするか、または低減するように構成され得る。例えば、ある態様において、低くされた、または低減されたエネルギー検出しきい値１６６は、Ｗｉ−Ｆｉ周波数スペクトルにおけるクリアチャネルアセスメント（ＣＣＡ）に関する欧州電気通信標準化機構（ＥＴＳＩ）の規格によって規定されるエネルギー検出値よりも少ない値を有し得る。例えば、ＬＴＥモデム１３０は、Ｗｉ−Ｆｉ送信と共有される同じ周波数またはチャネルにおけるＬＴＥモデム１３０による送信を遅らせるべきかどうかを決定するときに任意のＷｉ−Ｆｉデバイスの送信が考慮されることを確実にするために、取得された受信信号強度情報１６２の関数としてエネルギー検出しきい値１６６を低くするか、または低減するように構成され得る。このように、このケースにおいて、ＬＴＥモデム１３０によって使用され得る関数は、受信信号強度情報１６２中の（例えば、ｄＢｍで）最低レベルのＷｉ−Ｆｉ送信の値に対応するか、またはそれを表す値に、エネルギー検出しきい値１６６を調整する関数であり得る。いくつかの態様において、ＬＴＥモデム１３０は、受信信号強度情報１６２および／またはヘッダ情報１６４に基づいて、（例えば、前の値に対して）エネルギー検出しきい値１６６を増加させ得る（しかし、増加された値は、Ｗｉ−Ｆｉ周波数スペクトルにおけるＣＣＡに関するＥＴＳＩ規格によって規定されるエネルギー検出値を依然として下回っていてもよい）。
【００５６】
[0065]  よって、ＬＴＥモデム１３０は、Ｗｉ−Ｆｉモデム１４０によって検出された観測されたＷｉ−Ｆｉアクティビティに基づく受信信号強度情報１６２および／またはヘッダ情報１６４の関数として、エネルギー検出しきい値１６６を調整するように構成され得る。
【００５７】
[0066]  このように、ＬＴＥモデム１３０は、Ｗｉ−Ｆｉモデム１４０によって提供されたプリアンブル検出測定値（例えば、受信信号強度情報１６２および／またはヘッダ情報１６４）を使用して、エネルギー検出しきい値１６６の値を微調整（fine-tune）し得る。そうすることによって、微調整されたエネルギー検出しきい値１６６は、ＬＴＥモデム１３０において使用されて、アンライセンス媒体における実際の検出されたＷｉ−Ｆｉ送信にそれが十分に譲歩する（defer to）ことを確実にすることができ、これにより、技術間の干渉を低減する。したがって、マルチモデムコンポーネント１２０は、共有周波数スペクトルにおいて動作するＬＴＥ技術とＷｉ−Ｆｉ技術との間、そして、特に、限定ではないが、２．４ＧＨｚまたは５ＧＨｚのアンライセンス周波数帯域といった、同じ周波数帯域において送信および／または受信されるＬＴＥ信号とＷｉ−Ｆｉ信号との間の、共存を可能にし得る。
【００５８】
[0067]  図２は、ワイヤレスチャネルにおける干渉検出のための適応型エネルギー検出のための例となる方法２００を例示する。方法２００は、例えば、マルチモデムコンポーネント１２０（図１Ａおよび１Ｂ）を含む、アクセス端末１０２（図１Ａ）および／またはアクセスポイント１０６（例えば、図１Ａ）によって行われることができる。
【００５９】
[0068]  ある態様において、ブロック２０２において、方法２００は、デフォルトのエネルギーレベル検出しきい値を設定することをオプションとして含み得る。ある態様において、例えば、ＬＴＥモデム１３０（図１Ａおよび１Ｂ）は、しきい値を上回るチャネルにおいて検出されたエネルギーレベルがチャネル中の高い干渉レベルを示すように、エネルギー検出動作において使用するためのデフォルトのエネルギーレベル検出しきい値を設定し得る。ある態様において、デフォルトのエネルギーレベル検出しきい値は、ＬＴＥモデム１３０（図１Ａおよび１Ｂ）が、デフォルトを上回る値になるようにその後しきい値を変更しないように、最高限度（a ceiling）として設定され得る。例えば、デフォルトのエネルギーレベル値は、限定ではないが、Ｗｉ−Ｆｉ周波数スペクトルにおけるＣＣＡのためのＥＴＳＩ規格によって規定されるエネルギー検出値であり得る。
【００６０】
[0069]  ブロック２０４において、方法２００は、第１のＲＡＴに基づいて、またはそれにしたがって動作するネットワークエンティティからメッセージを受信することを含み得、受信されたメッセージは、測定されたエネルギーレベルで検出される。例えばある態様において、Ｗｉ−Ｆｉ受信機１４２（図１Ａ）は、アクセス端末１０４（図１Ａ）またはアクセスポイント１０８（図１Ａ）のような、別のネットワークエンティティからＷｉ−Ｆｉメッセージを受信し得る。受信機１４２（図１Ａ）によって受信された各Ｗｉ−Ｆｉメッセージは、メッセージのエネルギーレベルまたは、Ｗｉ−ＦｉメッセージのコンポーネントとしてのＷｉ−Ｆｉヘッダといった属性を有する。ある態様において、受信されたＷｉ−Ｆｉメッセージの測定されたエネルギーレベルは、受信信号強度インジケーション（ＲＳＳＩ）であり得、それは、Ｗｉ−Ｆｉフレームのプリアンブルを受信したときにアンテナ１２４（図１Ａ）のうちの１つによって受信された相対的な信号強度を示す。別の態様において、受信されたＷｉ−Ｆｉメッセージに関連付けられたエネルギーレベルは、受信チャネル電力インジケーション（ＲＣＰＩ：a received channel power indicator）であり得、これは、Ｗｉ−Ｆｉフレーム全体を受信したときにアンテナ１２４（図１Ａ）のうちの１つによって受信された相対的な信号強度を示す。
【００６１】
[0070]  ブロック２０６において、方法２００は、第１のＲＡＴに基づいて、またはそれにしたがって動作する各ネットワークエンティティからの受信されたメッセージに基づいて、検出されたエネルギーレベル値を決定することをオプションとして含み得る。ある態様において、例えば、Ｗｉ−Ｆｉモデム１４０（図１Ａおよび１Ｂ）は、アクセス端末１０４（図１Ａ）およびアクセスポイント１０８（図１Ａ）のような、Ｗｉ−Ｆｉに基づいて動作する各ネットワークエンティティから少なくとも１つのＷｉ−Ｆｉフレームを受信し得る。ある態様において、（第１のＲＡＴに基づいて動作する１つより多くのネットワークエンティティの存在を示す）１つより多くのＷｉ−Ｆｉフレームを受信すると、Ｗｉ−Ｆｉモデム１４０（図１Ａおよび１Ｂ）は、受信された各々の第１のＲＡＴメッセージに関連付けられた、測定されたエネルギーレベルを検出し、検出されたエネルギーレベル値を、受信された第１のＲＡＴメッセージのグループからの最低の測定されたエネルギーレベルのそれに等しく設定し得る。さらに、例えば、検出されたエネルギーレベルを決定することは、Ｗｉ−Ｆｉモデム１４０（図１Ａおよび１Ｂ）によって、受信されたメッセージの測定されたエネルギーレベルと、後続のメッセージの後続の測定されたエネルギーレベルとを含む、複数の測定されたエネルギーレベルの中で最小の測定されたエネルギーレベルを決定することを含み得る（ここで、これらメッセージは、同じまたは異なる送信エンティティからのものであり得る）。よって、この例において、Ｗｉ−Ｆｉモデム１４０（図１Ａおよび１Ｂ）は、検出されたエネルギーレベル値を、受信されたメッセージおよび後続のメッセージのうちの最小の測定されたエネルギーレベルとして設定し得る。受信されたメッセージおよび後続のメッセージのうちの最小の測定されたエネルギーレベル以外の他の値、例えば、信号の最低受信信号強度に近似する、またはそれを訂正する他の何らかの値が、共有周波数またはチャネルにおいて送信するＷｉ−Ｆｉデバイスから受信され得ることが理解されるべきである。
【００６２】
[0071]  ブロック２０７において、方法２００は、検出されたエネルギーレベル値を送ることを含み得る。ある態様において、例えば、Ｗｉ−Ｆｉモデム１４０（図１Ａおよび１Ｂ）は、ＬＴＥモデム１３０（図１Ａおよび１Ｂ）に、検出されたエネルギーレベル値を送り得る。ある態様において、検出されたエネルギーレベル値は、ブロック２０６においてＷｉ−Ｆｉモデム１４０（図１Ａおよび１Ｂ）によって設定された、検出されたエネルギーレベル値であり得る。
【００６３】
[0072]  ブロック２０８において、方法２００は、検出されたエネルギーレベル値を受信することを含み得る。ある態様において、例えば、ＬＴＥモデム１３０（図１Ａおよび１Ｂ）は、Ｗｉ−Ｆｉモデム１４０（図１Ａおよび１Ｂ）から、検出されたエネルギーレベル値を受信し得る。ある態様において、ＬＴＥモデム１３０（図１Ａおよび１Ｂ）は、コントローラ１５０（図１Ａ）を通してＷｉ−Ｆｉモデム１４０（図１Ａおよび１Ｂ）から送られた統計メッセージ中の検出されたエネルギー値を受信し得る。
【００６４】
[0073]  ある態様において、ブロック２０８においてＬＴＥモデム１３０（図１Ａおよび１Ｂ）は、また、Ｗｉ−Ｆｉモデム１４０（図１Ａおよび１Ｂ）からヘッダ情報も受信し得る。例えば、ＬＴＥモデム１３０（図１Ａおよび１Ｂ）は、エネルギーレベル情報（例えば、検出されたエネルギーレベル値）とヘッダ情報の両方を含む統計メッセージを受信し得る。このような事例において、ＬＴＥモデム１３０（図１Ａおよび１Ｂ）は、統計メッセージに含まれる情報を、第１のＲＡＴを使用して送られたメッセージに関連する情報のみを含むようにフィルタリングし得る。
【００６５】
[0074]  ブロック２１０において、方法２００は、検出されたエネルギーレベル値に基づいてエネルギーレベル検出しきい値を調整することを含み得る。ある態様において、例えば、ＬＴＥモデム１３０（図１Ａおよび１Ｂ）は、エネルギーレベル検出しきい値を、ブロック２０２において設定されたデフォルト値から、検出されたエネルギーレベル値に基づく値に調整し得る。例えば、ＬＴＥモデム１３０（図１Ａおよび１Ｂ）は、それの値が、Ｗｉ−Ｆｉモデム１４０（図１Ａおよび１Ｂ）から受信された、検出されたエネルギーレベル値に等しくなるように、エネルギーレベル検出しきい値を調整し得る。代替的に、ＬＴＥモデム１３０は、エネルギーレベル検出しきい値を、Ｗｉ−Ｆｉモデム１４０から受信された、検出されたエネルギーレベル値の関数であるように調整し得る。例えば、その関数は、エネルギーレベル検出しきい値を、Ｗｉ−Ｆｉデバイスによって送信されているものとして検出された最低信号強度に近似する値に調整する任意の関数であり得る。例えば、その関数は、限定ではないが、エネルギーレベル検出しきい値を、検出されたエネルギーレベル値の最小値に、または（例えば、検出されたエネルギーレベルにおけるエラーを説明する(account for)ための）検出されたエネルギーレベル値の最小値に対応する訂正または調整された何らかの値に調整する関数を含み得る。
【００６６】
[0075]  いくつかの態様において、ブロック２１０の一部として、方法２００は、検出されたエネルギーレベル値がデフォルトのエネルギー検出しきい値（例えば、Ｗｉ−Ｆｉ周波数スペクトルにおけるＣＣＡのためのＥＴＳＩ規格によって規定されるエネルギー検出値）以下であるかどうかを決定し得る。検出されたエネルギーレベル値がデフォルトのエネルギー検出しきい値以下であるという決定にしたがって、方法２００は、検出されたエネルギーレベル値を調整し得る。さらに、いくつかの態様において、エネルギー検出しきい値を調整することは、第１のモデムから受信された、検出されたエネルギーレベル値に基づいてエネルギー検出しきい値を低減することを含む。追加的に、いくつかの態様において、エネルギー検出しきい値を調整することは、検出されたエネルギーレベル値の関数として調整することを含む。
【００６７】
[0076]  ブロック２１２において、方法２００は、調整されたエネルギーレベル検出しきい値を使用してエネルギー検出を行うことをオプションとして含み得る。ある態様において、例えば、ＬＴＥモデム１３０（図１Ａおよび１Ｂ）は、検出されたエネルギーレベル値の関数としてエネルギー検出しきい値を設定する適応型エネルギー検出（ＡＥＤ）動作を行い得る。例えば、ＬＴＥモデム１３０（図１Ａおよび１Ｂ）は、第１のＲＡＴに基づいて、またはそれにしたがって動作するネットワークエンティティによるアクティビティを、チャネル中の干渉のレベルが示すかどうかを決定するために、更新されたエネルギーレベル検出しきい値の値としてその検出されたエネルギーレベル値を使用しながらＡＥＤ動作を行い得る。
【００６８】
[0077]  ある態様において、ブロック２１４において、方法２００は、送信メッセージを送信することをオプションとして含み得る。例えば、ある態様において、ＬＴＥモデム１３０は、例えば、検出されたエネルギーレベル値が、更新されたエネルギーレベル検出しきい値よりも少ない、またはそれを満たさないときに、周波数またはチャネルが、干渉から十分にフリーであると決定することに応答して、送信メッセージを送信し得る。ある態様において、送信メッセージは、第１のＲＡＴにしたがって動作する少なくとも１つのネットワークエンティティによって認識される第１のシグネチャ（例えば、Ｗｉ−Ｆｉプリアンブルおよび／または他のヘッダ情報）と、第２のＲＡＴにしたがって動作する１つまたは複数のネットワークエンティティによって認識される第２のシグネチャ（例えば、ＬＴＥプリアンブルおよび／またはヘッダ情報）とを含み得る。このように、第１および第２のシグネチャを持つ送信メッセージは、Ｗｉ−Ｆｉモデムを有する受信デバイスと、ならびにＬＴＥモデムを有する受信デバイスとによって認識されることができ、それによって、本明細書に説明されているマルチモデムコンポーネント１２０をインプリメントする他のデバイスによる送信メッセージの適切な配信および／または送信メッセージの適切な使用を可能にする。
【００６９】
[0078]  さらに、別の態様において、送信メッセージは、周波数もしくはチャネル予約またはチャネル使用メッセージであり得る。例えば、ある態様において、高い干渉レベルを決定するＡＥＤ動作は、Ｗｉ−Ｆｉモデム１４０（図１Ａおよび１Ｂ）に、送信を遅らせるように、第１のＲＡＴに基づいて、またはそれにしたがって動作する他のネットワークエンティティに送信メッセージをオプションとして送信させ得、その結果、チャネル中の干渉レベルが低くなり、それはＬＴＥモデム１３０（図１Ａおよび１Ｂ）を使用するチャネルにおいて送信を送信可能（clear to send）である。このような事例において、ＬＴＥモデム１３０（図１Ａおよび１Ｂ）によって行われる後続のＡＥＤ動作は、第１のＲＡＴに基づいて、またはそれにしたがって動作するネットワークエンティティによって他の送信が行われていることを干渉レベルが示さないことを示すことになり、そのため、ＬＴＥモデム１３０（図１Ａおよび１Ｂ）は、第２のＲＡＴに基づいて動作するチャネルにおいてＬＴＥ送信を送ることができる。
【００７０】
[0079]  ブロック２１６において、方法２００は、検出されたエネルギーレベル値を送る前に、定義された期間の間、待機することをオプションとして含み得る。ある態様において、例えば、Ｗｉ−Ｆｉモデム１４０（図１Ａおよび１Ｂ）は、定義された期間に、メッセージを受信し、検出されたエネルギーレベル値を設定し得る。例えば、Ｗｉ−Ｆｉモデム１４０（図１Ａおよび１Ｂ）は、周期的に、例えば、Ｎｍｓ（ここで、Ｎ＝１０、２０、１００、等）といった定義された時間期間１７２ごとに、受信されたメッセージのエネルギーレベルを決定し得、ＬＴＥモデム１３０（図１Ａおよび１Ｂ）は、Ｎｍｓごとに、更新された検出されたエネルギーレベルを受信する。例えば、ブロック２０４にいて方法２００は、少なくとも第１のメッセージと後続のメッセージとを含む、第１のＲＡＴにしたがって動作する１つまたは複数のネットワークエンティティからの複数のメッセージを（例えば、図１Ａおよび１ＢのＷｉ−Ｆｉモデム１４０を介して）受信することを含み得る含み得る。さらに、ブロック２０６において、それぞれの検出されたエネルギー値が決定され、メッセージの受信と、検出されたエネルギー値の決定とが、定義された時間期間１７２の間、継続し得る。追加的に、方法２００は、定義された時間期間１７２が経過したことを決定し得、よって、Ｗｉ−Ｆｉモデム１４０は次いで、定義された時間期間１７２中に受信されたメッセージの測定されたエネルギーレベルに少なくとも基づく検出されたエネルギーレベル値をＬＴＥモデム１３０（図１Ａおよび１Ｂ）に送る。このように、定義された期間ごとの終わりに、Ｗｉ−Ｆｉモデム１４０は、定義された時間期間１７２中に受信された検出されたＷｉ−Ｆｉ送信に基づいて、更新された検出されたエネルギーレベル値をＬＴＥモデム１３０に提供し得る。
【００７１】
[0080]  図３を参照すると、アンライセンス・スペクトルにおける適応型エネルギー検出のための例となるシステム３００が例示されている。システム３００は、例えば、アクセス端末１０２に含まれ得る。例えば、アクセス端末１０４およびアクセスポイント１０６、１０８のような他のワイヤレスデバイスは、また、アンライセンス・スペクトルにおける干渉緩和のためのシステム３００も含み得る。システム３００は、機能ブロックを含むものとして表されており、これが、プロセッサ、ソフトウェア、またはこれらの組合せ（例えば、ファームウェア）によってインプリメントされる機能を表す機能ブロックであり得ることが理解されるべきである。
【００７２】
[0081]  システム３００は、連結して動作することができる電気的コンポーネントの論理的グルーピング３０１を含む。例えば、論理的グルーピング３０１は、デフォルトのエネルギーレベル検出しきい値を設定するための電気的コンポーネント３０２を含み得る。電気的コンポーネント３０２は、ＬＴＥモデム１３０またはＷｉ−Ｆｉモデム１４０（図１Ａおよび１Ｂ）を備え得る。
【００７３】
[0082]  追加的に、論理的グルーピング３０１は、第１のＲＡＴに基づいて、またはそれにしたがって動作するネットワークエンティティからメッセージを受信するための電気的コンポーネント３０４を含み得る。ある態様において、受信されたメッセージは、測定されたエネルギーレベルで検出される。電気的コンポーネント３０４は、受信機１３２（図１Ａ）を備え得る。
【００７４】
[0083]  追加的に、論理的グルーピング３０１は、検出されたエネルギーレベル値を決定するための電気的コンポーネント３０６を含み得る。電気的コンポーネント３０６は、Ｗｉ−Ｆｉモデム１４０（図１Ａおよび１Ｂ）を備え得る。
【００７５】
[0084]  追加的に、論理的グルーピング３０１は、検出されたエネルギーレベル値を送るための電気的コンポーネント３０７を含み得る。電気的コンポーネント３０７は、ＬＴＥモデム１３０またはＷｉ−Ｆｉモデム１４０（図１Ａおよび１Ｂ）を備え得る。
【００７６】
[0085]  追加的に、論理的グルーピング３０１は、検出されたエネルギーレベル値を受信するための電気的コンポーネント３０８を含み得る。電気的コンポーネント３０８は、ＬＴＥモデム１３０またはＷｉ−Ｆｉモデム１４０（図１Ａおよび１Ｂ）を備え得る。
【００７７】
[0086]  追加的に、論理的グルーピング３０１は、検出されたエネルギーレベル値に基づいてエネルギーレベル検出しきい値を調整するための電気的コンポーネント３１０を含み得る。電気的コンポーネント３１０は、ＬＴＥモデム１３０またはＷｉ−Ｆｉモデム１４０（図１Ａおよび１Ｂ）を備え得る。
【００７８】
[0087]  追加的に、論理的グルーピング３０１は、調整されたエネルギー検出しきい値に基づいて、またはそれにしたがって動作するエネルギー検出を行うための電気的コンポーネント３１２を含み得る。ある態様において、電気的コンポーネント３１２は、ＬＴＥモデム１３０またはＷｉ−Ｆｉモデム１４０（図１Ａおよび１Ｂ）を備え得る。
【００７９】
[0088]  追加的に、論理的グルーピング３０１は、定義された期間の間待機するための電気的コンポーネント３１４を含み得る。電気的コンポーネント３１０は、ＬＴＥモデム１３０またはＷｉ−Ｆｉモデム１４０（図１Ａおよび１Ｂ）を備え得る。
【００８０】
[0089]  追加的に、システム３００は、電気的コンポーネント３０２、３０４、３０６、３０７、３０８、３１０、３１２、および３１４に関連付けられた機能を実行するための命令を保ち、電気的コンポーネント３０２、３０４、３０６、３０７、３０８、３１０、３１２、および３１４によって使用または取得されたデータを記憶するメモリ３１６を含み得る。メモリ３１６の外側にあると示されているが、電気的コンポーネント３０２、３０４、３０６、３０７、３０８、３１０、３１２、および３１４のうちの１つまたは複数は、メモリ３１６内に存在することができることが理解されるべきである。１つの例において、電気的コンポーネント３０２、３０４、３０６、３０７、３０８、３１０、３１２、および３１４は、少なくとも１つのプロセッサを備えることができるか、または各電気的コンポーネント３０２、３０４、３０６、３０７、３０８、３１０、３１２、および３１４は、少なくとも１つのプロセッサの対応するモジュールであり得る。さらに、追加的または代替的な例において、電気的コンポーネント３０２、３０４、３０６、３０７、３０８、３１０、３１２、および３１４は、コンピュータ可読媒体を含むコンピュータプログラム製品であり得、ここで、各電気的コンポーネント３０２、３０４、３０６、３０７、３０８、３１０、３１２、および３１４は、対応するコードであり得る。
【００８１】
[0090]  図４は、本開示の態様に係る電気通信システムにおけるダウンリンクフレーム構造の例を概念的に例示するブロック図である。ダウンリンクのための送信タイムラインは、無線フレーム４０２の単位に区分され得る。各無線フレーム４０２は、所定の持続時間（例えば、１０ミリ秒（ｍｓ））を有することができ、０〜９のインデックスを持つ１０個のサブフレーム４０４に区分され得る。各サブフレーム４０４は、２つのスロット４０６および４０８を含み得る。各無線フレームは、よって、０〜１９のインデックスを持つ２０個のスロットを含み得る。各スロットは、Ｌ個のシンボル期間、例えば、（図６に示すように）通常のサイクリックプレフィックスの場合は７個のシンボル期間、または拡張サイクリックプレフィックスの場合は１４個のシンボル期間（図示せず）を含み得る。各サブフレーム４０４における２Ｌ個のシンボル期間は、０〜２Ｌ−１のインデックスが割り当てられ得る。利用可能な時間周波数リソースは、リソースブロックに区分され得る。各リソースブロックは、１つのスロットにおいてＮ個のサブキャリア（例えば、１２個のサブキャリア）をカバーし得る。
【００８２】
[0091]  上述されたように、ＬＴＥ受信機は、チャネル推定値を提供するためにフレーム構造を使用し得る。例えば、ＬＴＥ受信機は、割り振られたリソースブロックに基づいてＬＴＥチャネルを推定し得る。ＬＴＥ受信機は、割り振られたリソースブロックごとにチャネル状態を推定し得る。
【００８３】
[0092]  図５を参照すると、１つの態様において、マルチモデムコンポーネント１２０（図１Ａ）を含む、アクセス端末１０２（図１Ａ）またはアクセスポイント１０６（図１Ａ）のうちの１つまたは複数は、特別にプログラミングまたは構成されたコンピュータデバイス５００によって表され得る。インプリメンテーションの１つの態様において、コンピュータデバイス５００は、例えば、特別にプログラミングされたコンピュータ可読命令もしくはコード、ファームウェア、ハードウェア、またはこれらの何らかの組合せにマルチモデムコンポーネント１２０（図１Ａおよび１Ｂ）を含み得る。例えば、マルチモデムコンポーネント１２０は、通信コンポーネント５０６の１つまたは複数のモデムまたはトランシーバの一部としての１つまたは複数のハードウェアモジュールまたはコンピュータ実行可能コードもしくは命令として、または、プロセッサ５０２の１つまたは複数の特別にプログラミングされたハードウェアプロセッサモジュールとして、または、メモリメモリ５０４またはデータストア５０８にコンピュータ可読媒体として記憶されたコンピュータ実行可能命令もしくはコードとして、またはこれらの何らかの組合せとしてインプリメントされ得る。さらに、マルチモデムコンポーネント１２０は、プロセッサ５０２、メモリ５０４、通信コンポーネント５０６、データストア５０８、およびユーザインターフェース５１０のうちの１つまたは複数に１つまたはバス５０３によって通信可能に結合され得る。
【００８４】
[0093]  プロセッサ５０２は、コンポーネントのうちの１つまたは複数に関連付けられた処理機能と、少なくともマルチモデムコンポーネント１２０に関連して本明細書に説明されている機能とを遂行するために構成される。プロセッサ５０２は、プロセッサまたはマルチコアプロセッサの単一または複数のセットを含み得る。さらに、プロセッサ５０２は、統合型処理システムおよび／または分散型処理システムとしてインプリメントされ得る。
【００８５】
[0094]  例えば、本明細書に説明されているマルチモデムコンポーネント１２０の動作に関連して、例えば、プロセッサ５０２によって実行されているローカルバージョンのアプリケーションもしくは命令もしくはコードおよび／または本明細書で使用されるデータを記憶するためのメモリ５０４。メモリ５０４は、ランダムアクセスメモリ（ＲＡＭ）、読取専用メモリ（ＲＯＭ）、テープ、磁気ディスク、光ディスク、揮発性メモリ、不揮発性メモリ、およびこれらの任意の組合せのような、コンピュータによって使用可能な任意のタイプのメモリを含み得る。
【００８６】
[0095]  通信コンポーネント５０６は、本明細書に説明されているマルチモデムコンポーネント１２０の動作に特に関連して、本明細書に説明されているハードウェア、ソフトウェア、およびサービスを利用して１つまたは複数のエンティティとの通信を確立および維持することを提供するように構成され得る。通信コンポーネント５０６は、コンピュータデバイス５００上の複数のコンポーネント間の、ならびに通信ネットワークをわたって位置するデバイスおよび／またはコンピュータデバイス５００に直列的または局所的に接続されたデバイスのような、外部デバイスとコンピュータデバイス５００との間の通信を搬送し得る。例えば、通信コンポーネント５０６は、１つまたは複数のバスを含み得、さらに、送信機および受信機にそれぞれ関連付けられた送信チェーンコンポーネントおよび受信チェーンコンポーネント、または外部デバイスとインターフェースで接続するために動作可能なトランシーバをさらに含み得る。追加の態様において、通信コンポーネント５０６は、１つまたは複数の加入者ネットワークから１つまたは複数のページを受信するように構成され得る。さらなる態様において、このようなページは、第２の加入に対応し、第１の技術タイプの通信サービスを介して受信され得る。
【００８７】
[0096]  追加的に、データストア５０８は、本明細書に説明されている態様に関連して採用されるプログラム、データベース、および情報のマスストレージを提供する、ハードウェアおよび／またはソフトウェアの任意の好適な組合せであり得る。例えば、データストア５０８は、プロセッサ５０２によって現在実行されていないアプリケーションのため、例えば、本明細書に説明されているマルチモデムコンポーネント１２０に関連付けられた命令および／またはコードならびにデータのためのデータリポジトリであり得る。
【００８８】
[0097]  ユーザインターフェースコンポーネント５１０は、コンピュータデバイス５００のユーザからの入力を受信するように構成され、および／またはユーザに提示するための出力を生成するように動作可能である。ユーザインターフェースコンポーネント５１０は、限定ではないが、キーボード、数字パッド、マウス、タッチセンシティブディスプレイ、ナビゲーションキー、機能キー、マイクロフォン、音声認識コンポーネント、ユーザからの入力を受信することが可能な他の任意のメカニズム、またはこれらの任意の組合せを含む、１つまたは複数の入力デバイスを含み得る。さらに、ユーザインターフェースコンポーネント５１０は、限定ではないが、ディスプレイ、スピーカ、触覚フィードバックメカニズム、プリンタ、ユーザに出力を提示することが可能な他の任意のメカニズム、またはこれらの任意の組合せを含む、１つまたは複数の出力デバイスを含み得る。
【００８９】
[0098]  図６は、例えば、マルチモデムコンポーネント１２０（図１Ａおよび１Ｂ）を含み、スモールセルのカバレッジエリアを最適化するための方法といった、本開示の態様を遂行するための処理システム６１４を採用する、装置６００のためのハードウェアインプリメンテーションの例を例示するブロック図である。この例において、処理システム６１４は、バス６０２によって概して表されるバスアーキテクチャを用いてインプリメントされ得る。バス６０２は、処理システム６１４の特定の用途および全体的な設計制約に依存して、任意の数の相互接続バスおよびブリッジを含み得る。バス６０２は、様々な回路を共にリンクさせ、プロセッサ６０４によって概して表されている１つまたは複数のプロセッサ、コンピュータ可読媒体６０６によって概して表されているコンピュータ可読媒体、および、限定ではないが、マルチモデムコンポーネント１２０（図１Ａおよび１Ｂ）のような、本明細書に説明されている１つまたは複数のコンポーネントを含む。バス６０２はまた、タイミングソース、周辺機器、電圧レギュレータ、および電力管理回路のような他の様々な回路とリンクすることができ、これらは、当該技術分野で周知であり、それゆえ、これ以上は説明されないであろう。
【００９０】
[0099]  バスインタフェース６０８は、バス６０２とトランシーバ６１０との間のインターフェースを提供する。トランシーバ６１０は、伝送媒体を介して他の様々な装置と通信するための手段を提供する。装置の性質に依存して、ユーザインターフェース６１２（例えば、キーパッド、ディスプレイ、スピーカ、マイクロフォン、ジョイスティック）もまた提供され得る。
【００９１】
[00100]  プロセッサ６０４は、バス６０２を管理することと、コンピュータ可読媒体６０７に記憶されたソフトウェアの実行を含む一般的な処理とを担っている。このソフトウェアは、プロセッサ６０４によって実行されると、処理システム６１４に、任意の特定の装置に関して以下に説明される様々な機能を行わせる。コンピュータ可読媒体６０７は、また、ソフトウェアを実行するときにプロセッサ６０４によって操作されるデータを記憶するために使用され得る。マルチモデムコンポーネント１２０は、上述されたように、プロセッサ６０４によって、またはコンピュータ可読媒体６０６によって、またはプロセッサ６０４とコンピュータ可読媒体６０６の任意の組合せによって、全体的または部分的にインプリメントされ得る。
【００９２】
[00101]  図７は、通信システム１００（図１Ａ）の様々な装置を採用するロングタームエボリューション（ＬＴＥ）ネットワークアーキテクチャ７００を例示する図であり、１つまたは複数のアクセス端末１０２（図１Ａ）またはアクセスポイント１０６（図１Ａ）を含み得る。ＬＴＥネットワークアーキテクチャ７００は、Ｗｉ−Ｆｉを採用するネットワーク（図示せず）と並列して動作し得る。Ｗｉ−Ｆｉを採用するネットワークは、アクセス端末とアクセスポイントとの間の接続のためにＷｉ−Ｆｉプロトコルを使用し得るが、オペレータのネットワークへのバックホールに異なるアーキテクチャを使用し得る。
【００９３】
[00102]  ＬＴＥネットワークアーキテクチャ７００は、発展型パケットシステム（ＥＰＳ：Evolved Packet System）７００と称され得る。ＥＰＳ７００は、１つまたは複数のユーザ機器（ＵＥ）７０２、発展型ＵＭＴＳ地上無線アクセスネットワーク（Ｅ−ＵＴＲＡＮ）７０４、発展型パケットコア（ＥＰＣ）７８０、ホーム加入者サーバ（ＨＳＳ）７２０、およびオペレータのＩＰサービス７２２を含み得る。ＥＰＳは、他のアクセスネットワークと相互接続することができるが、簡潔さのために、それらのエンティティ／インターフェースは示されていない。示されているように、ＥＰＳは、パケット交換サービスを提供するが、当業者が容易に理解することになるように、本開示全体を通して提示されている様々な概念は、回路交換サービスを提供するネットワークに拡張され得る。
【００９４】
[00103]  Ｅ−ＵＴＲＡＮは、発展型ノードＢ（ｅＮＢ）７０６および他のｅＮＢ７０８を含む。ｅＮＢ７０６および７０８は、各々、干渉を緩和するためのデュアルモデムコンポーネントを含むアクセスポイント１０６（図１Ａ）の例であり得る。ｅＮＢ７０６は、ＵＥ７０２に対してユーザおよび制御プレーンプロトコル終端（terminations）を提供する。ｅＮＢ７０８は、Ｘ２インターフェース（すなわち、バックホール）を介して他のｅＮＢ７０８に接続され得る。ｅＮＢ７０６は、また、基地局、ベーストランシーバ局、無線基地局、無線トランシーバ、トランシーバ機能、基本サービススセット（ＢＳＳ）、スモールセル、拡張サービスセット（ＥＳＳ）、または他の何らかの好適な専門用語でも当業者によって称され得る。ｅＮＢ７０６は、ＵＥ７０２にＥＰＣ７８０へのアクセスポイントを提供する。ＵＥ７０２の例は、セルラ電話、スマートフォン、セッション開始プロトコル（ＳＩＰ）電話、ラップトップ、携帯情報端末（ＰＤＡ）、衛星無線機、全地球測位システム、マルチメディアデバイス、ビデオデバイス、デジタルオーディオプレーヤ（例えば、ＭＰ３プレーヤ）、カメラ、ゲームコンソール、または他の任意の同様に機能するデバイスを含む。ＵＥ７０２は、また、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または他の何らかの好適な用語でも称され得る。
【００９５】
[00104]  ｅＮＢ７０６は、Ｓ１インターフェースによってＥＰＣ７８０に接続される。ＥＰＣ７８０は、モビリティ管理エンティティ（ＭＭＥ）７６２、他のＭＭＥ７６４、サービングゲートウェイ７６６、およびパケットデータネットワーク（ＰＤＮ）ゲートウェイ７６８を含む。ＭＭＥ７６２は、ＵＥ７０２とＥＰＣ７８０との間でのシグナリングを処理する制御ノードである。一般に、ＭＭＥ７６２はベアラおよび接続管理を提供する。すべてのユーザＩＰパケットは、サービングゲートウェイ７６６を通して転送され、それ自体がＰＤＮゲートウェイ７６８に接続される。ＰＤＮゲートウェイ７６８は、ＵＥ ＩＰアドレス割振り、ならびに他の機能を提供する。ＰＤＮゲートウェイ７６８は、オペレータのＩＰサービス７２２に接続される。オペレータのＩＰサービス７２２は、インターネット、イントラネット、ＩＰマルチメディアサブシステム（ＩＭＳ）、およびＰＳストリーミングサービス（ＰＳＳ）を含む。
【００９６】
[00105]  図８を参照すると、ＵＴＲＡＮアーキテクチャにおけるアクセスネットワーク８００が例示されており、１つまたは複数のアクセスポイント１０６（図１Ａ）を含み得、それは、基地局またはスモールセルノードであり得る。多元接続ワイヤレス通信システムは、セル８０２、８０４、および８０６を含む複数のセルラ領域（セル）を含み、その各々が１つまたは複数のセクタを含み得る。複数のセクタは、各アンテナがセルの一部分においてＵＥと通信することを担う、アンテナのグループによって形成され得る。例えば、セル８０２において、アンテナグループ８１２、８１４、および８１６は各々、異なるセクタに対応し得る。セル８０４において、アンテナグループ８１９、８２０、および８２２は各々、異なるセクタに対応する。セル８０６において、アンテナグループ８２４、８２６、および８２８は各々、異なるセクタに対応する。セル８０２、８０４、および８０６は、いくつかのワイヤレス通信デバイス、例えば、図１Ａのアクセス端末１０２および１０４を含む、例えばＵＥを含み得、それは、各セル８０２、８０４、または８０６の１つまたは複数のセクタと通信中であり得る。例えば、ＵＥ８３０および８３２は、ノードＢ１０４２と通信中であり得、ＵＥ８３４および８３６は、ノードＢ８４４と通信中であり得、ＵＥ８３８および８４０は、ノードＢ８４６と通信中であり得る。ここで、各ノードＢ８４２、８４４、８４６は、それぞれのセル８０２、８０４、および８０６内の全てのＵＥ８３０、８３２、８３４、８３６、８３８、８４０のためのアクセスポイントを提供するように構成されている。追加的に、ＵＥ８３０、８３２、８３４、８３６、８３８、８４０の各々は、図１Ａのアクセス端末１０２の例であり得、本明細書に概説されている方法を行い得る。
【００９７】
[00106]  ＵＥ８３４が、セル８０４内の例示されたロケーションからセル８０６の中に移動すると、サービングセル変更（ＳＣＣ：serving cell change）またはハンドオーバが生じ得、ＵＥ８３４との通信が、ソースセルと称され得るセル８０４から、ターゲットセルと称され得るセル８０６に遷移する。ハンドオーバプロシージャの管理は、ＵＥ８３４において、それぞれのセルに対応するノードＢにおいて、ＥＰＣ７８０（図７）において、またはワイヤレスネットワーク内の別の好適なノードにおいて生じ得る。例えば、ソースセル８０４との呼の間に、または他の任意の時間に、ＵＥ８３４は、ソースセル８０４の様々なパラメータと、ならびにセル８０６および８０２のような近隣のセルの様々なパラメータとを監視し得る。さらに、これらのパラメータの品質に依存して、ＵＥ８３４は、近隣のセルの１つまたは複数との通信を維持し得る。この時間の間、ＵＥ８３４は、アクティブセット、すなわち、ＵＥ８３４が同時に接続されているセルのリストを維持し得る（すなわち、ダウンリンク専用物理チャネルＤＰＣＨまたはフラクショナルダウンリンク専用物理チャネルＦ−ＤＰＣＨ（fractional downlink dedicated physical channel）をＵＥ８３４に現在割り当てているＵＴＲＡセルが、アクティブセットを構成し得る）。
【００９８】
[00107]  さらに、アクセスネットワーク８００によって採用される変調および多元接続方式は、展開される特定の電気通信規格に依存して変わり得る。例として、規格は、エボリューションデータオプティマイズド（ＥＶ−ＤＯ）、またはウルトラモバイルブロードバンド（ＵＭＢ）を含み得る。ＥＶ−ＤＯおよびＵＭＢは、規格のＣＤＭＡ２０００ファミリの一部として、第３世代パートナーシッププロジェクト２（３ＧＰＰ２）によって公表されたエアインターフェース規格であり、モバイル局にブロードバンドインターネットアクセスを提供するためにＣＤＭＡを採用する。この規格は、代替的に、広帯域ＣＤＭＡ（Ｗ−ＣＤＭＡ（登録商標））、およびＴＤ−ＳＣＤＭＡのようなＣＤＭＡの他の変形物を採用するユニバーサル地上無線アクセス（ＵＴＲＡ）、ＴＤＭＡを採用するモバイル通信のためのグローバルシステム（ＧＳＭ）、ＯＦＤＭＡを採用する、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュ−ＯＦＤＭであり得る。ＵＴＲＡ、Ｅ−ＵＴＲＡ、ＵＭＴＳ、ＬＴＥ、ＬＴＥアドバンスト、およびＧＳＭは、３ＧＰＰ団体からの文書に説明されている。ＣＤＭＡ２０００およびＵＭＢは、３ＧＰＰ２団体からの文書において説明されている。採用される実際のワイヤレス通信規格および多元接続技術は、特定の用途およびシステムに課せられる全体的な設計制約に依存することになる。
【００９９】
[00108]  図９は、本開示のある態様にしたがって構成された実例的なｅノードＢ９１０および実例的なＵＥ９５０を概念的に例示するブロック図である。例えば、ＵＥ９５０は、図９に示されているように、マルチモデムコンポーネント１２０を有するアクセス端末１０２、１０４のうちの１つであり得る。例えば、ｅノードＢ９１０は、図９に示されているように、マルチモデムコンポーネント１２０を有するアクセスポイント１０６のうちの１つであり得る。ｅノードＢ９１０は、アンテナ９３４ａ〜ｔを装備し得、ＵＥ９５０は、アンテナ９５２ａ〜ｒを装備し得、ここにおいて、ｔおよびｒは、１以上の整数である。
【０１００】
[00109]  ｅノードＢ９１０において、基地局送信プロセッサ９２０は、基地局データソース９１２からのデータと、基地局コントローラ／プロセッサ９４０からの制御情報とを受信し得る。制御情報は、ＰＢＣＨ、ＰＣＦＩＣＨ、ＰＨＩＣＨ、ＰＤＣＣＨ、等上で搬送され得る。データは、ＰＤＳＣＨ等上で搬送され得る。基地局送信プロセッサ９２０は、データおよび制御情報を処理（例えば、符号化およびシンボルマッピング）して、データシンボルおよび制御シンボルをそれぞれ取得し得る。基地局送信プロセッサ９２０はまた、例えば、ＰＳＳ、ＳＳＳ、およびセル固有の基準信号（ＲＳ）に関する基準シンボルを生成し得る。基地局送信（ＴＸ）多入力多出力（ＭＩＭＯ）プロセッサ９３０は、適用可能な場合、データシンボル、制御シンボル、および／または基準シンボルに対して空間処理（例えば、プリコーディング）を行い得、基地局変調器／復調器（ＭＯＤ／ＤＥＭＯＤ）９３２ａ〜ｔに、出力シンボルストリームを提供し得る。各基地局変調器／復調器９３２は、（例えば、ＯＦＤＭ、等のための）それぞれの出力シンボルストリームを処理して、出力サンプルストリームを取得し得る。各基地局変調器／復調器９３２は、その出力サンプルストリームをさらに処理（例えば、アナログに変換、増幅、フィルタリング、およびアップコンバート）して、ダウンリンク信号を取得し得る。変調器／復調器９３２ａ〜ｔからのダウンリンク信号は、それぞれ、アンテナ９３４ａ〜ｔを介して送信され得る。
【０１０１】
[00110]  ＵＥ９５０において、ＵＥアンテナ９５２ａ〜ｒは、ｅノードＢ９１０からダウンリンク信号を受信し得、ＵＥ変調器／復調器（ＭＯＤ／ＤＥＭＯＤ）９５４ａ〜ｒにそれぞれ受信された信号を提供し得る。各ＵＥ変調器／復調器９５４は、それぞれの受信された信号を調整（例えば、フィルタリング、増幅、ダウンコンバート、およびデジタル化）して、入力サンプルを取得し得る。各ＵＥ変調器／復調器９５４はさらに、（例えば、ＯＦＤＭ等のための）入力サンプルを処理して、受信されたシンボルを取得し得る。ＵＥ ＭＩＭＯ検出器９５６は、全てのＵＥ変調器／復調器９５４ａ〜ｒからの受信されたシンボルを取得し、適用可能な場合、受信されたシンボルに対してＭＩＭＯ検出を行い、検出されたシンボルを提供し得る。ＵＥ受信プロセッサ９５８は、検出されたシンボルを処理（例えば、復調、デインターリーブ、および復号）し、ＵＥ９５０のための復号されたデータをＵＥデータシンク９６０に提供し、復号された制御情報をＵＥコントローラ／プロセッサ９８０に提供し得る。
【０１０２】
[00111]  アップリンク上では、ＵＥ９５０において、ＵＥ送信プロセッサ９６４は、ＵＥデータソース９６２からの（例えば、ＰＵＳＣＨのための）データ、およびＵＥコントローラ／プロセッサ９８０からの（例えば、ＰＵＣＣＨのための）制御情報を受信および処理し得る。ＵＥ送信プロセッサ９６４はまた、基準信号のための基準シンボルを生成し得る。ＵＥ送信プロセッサ９６４からのシンボルは、適用可能な場合、ＵＥ ＴＸ ＭＩＭＯプロセッサ９６６によってプリコーディングされ得、さらに（例えば、ＳＣ−ＦＤＭ等のための）ＵＥ変調器／復調器９５４ａ〜ｒによって処理され、ｅノードＢ９１０に送信され得る。ｅノードＢ９１０において、ＵＥ９５０からのアップリンク信号は、基地局アンテナ９３４によって受信され、基地局変調器／復調器９３２によって処理され、適用可能な場合、基地局ＭＩＭＯ検出器９３６によって検出され、さらに基地局受信プロセッサ９３８によって処理され、ＵＥ９５０によって送られた復号されたデータおよび制御情報を取得し得る。基地局受信プロセッサ９３８は、復号されたデータを基地局データシンク９４６に提供し得、復号された制御情報を基地局コントローラ／プロセッサ９４０に提供し得る。
【０１０３】
[00112]  基地局コントローラ／プロセッサ９４０およびＵＥコントローラ／プロセッサ９８０は、それぞれ、ｅノードＢ９１０およびＵＥ９５０において動作を指示し得る。基地局コントローラ／プロセッサ９４０および／またはｅノードＢ９１０における他のプロセッサおよびモジュールは、例えば、本明細書に説明されている技法のための様々な処理の実行を実施または指示し得る。ＵＥコントローラ／プロセッサ９８０および／またはＵＥ９５０における他のプロセッサおよびモジュールは、また、例えば、図２、３、および４に例示されている機能ブロックおよび／または本明細書に説明されている技法のための他のプロセスの実行を実施または指示し得る。基地局メモリ９４２およびＵＥメモリ９８２は、それぞれ、ｅノードＢ９１０およびＵＥ９５０のためのデータおよびプログラムコードを記憶し得る。スケジューラ９４４は、ダウンリンクおよび／またはアップリンク上でのデータ送信のためにＵＥ９５０をスケジューリングし得る。ｅノードＢ９１０におけるマルチモデムコンポーネント１２０は、さらに、変調器／復調器９３２、受信プロセッサ９３８、コントローラ／プロセッサ９４０、メモリ９４２、送信プロセッサ９２０、および／または変調器／復調器９３２を含み得るか、またはそれによってインプリメントされ得る。マルチモデムコンポーネント１２０は、さらに、Ｗｉ−Ｆｉのような、第２のＲＡＴのための同様のコンポーネントを含み得る。別の態様において、ＵＥ９５０は、また、マルチモデムコンポーネント１２０も含み得る。ＵＥ９５０におけるマルチモデムコンポーネント１２０は、さらに、変調器／復調器９５４、受信プロセッサ９５８、コントローラ／プロセッサ９８６、送信プロセッサ９６４、およびＴｘ ＭＩＭＯプロセッサ９６６を含み得るか、またはそれによってインプリメントされ得る。マルチモデムコンポーネント１２０は、さらに、Ｗｉ−Ｆｉのような、第２のＲＡＴのための同様のコンポーネントを含み得る。
【０１０４】
[00113]  電気通信システムのいくつかの態様が、Ｗ−ＣＤＭＡシステムを参照して提示されている。当業者は、本開示全体にわたって説明されている様々な態様が他の電気通信システム、ネットワークアーキテクチャ、および通信規格に拡大され得ることを容易に認識するであろう。
【０１０５】
[00114]  例として、様々な態様は、ＴＤ−ＳＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ+）およびＴＤ−ＣＤＭＡのような、他のＵＭＴＳシステムに拡張され得る。様々な態様はまた、（ＦＤＤ、ＴＤＤ、または両方のモードの）ロングタームエボリューション（ＬＴＥ）、（ＦＤＤ、ＴＤＤ、または両方のモードの）ＬＴＥ−アドバンスト（ＬＴＥ−Ａ）、ＣＤＭＡ２０００、エボリューションデータオプティマイズド（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ、および／または他の好適なシステムを採用するシステムに拡張され得る。採用される実際の電気通信規格、ネットワークアーキテクチャ、および／または通信規格は、システムに課せられた全体的な設計制約および特定の用途に依存するであろう。
【０１０６】
[00115]  本開示の様々な態様にしたがって、ある要素、または要素の任意の部分、または要素の任意の組合せが、１つまたは複数のプロセッサを含む「処理システム」を用いてインプリメントされ得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および、本開示全体を通して説明されている様々な機能を行うように構成された他の好適なハードウェアを含む。処理システム内の１つまたは複数のプロセッサは、ソフトウェアを実行し得る。ソフトウェアは、ソフトウェア、ファームウェア、ミドルウェア、マイクロコード、ハードウェア記述言語と称されるか、または別名で称されるかどうかにかかわらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように幅広く解釈されるものとする。ソフトウェアは、コンピュータ可読媒体に存在し得る。コンピュータ可読媒体は、非一時的なコンピュータ可読媒体であり得る。非一時的なコンピュータ可読媒体は、例として、磁気記憶デバイス（例えば、ハードディスク、フロッピー（登録商標）ディスク、磁気ストリップ）、光ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、およびコンピュータによってアクセスおよび読み取り可能なソフトウェアおよび／または命令を記憶するための他の任意の好適な媒体を含む。
【０１０７】
[0116]  コンピュータ可読媒体はまた、例として、搬送波、伝送回線、およびコンピュータによってアクセスおよび読み取り可能なソフトウェアおよび／または命令を送信するための他の任意の好適な媒体を含み得る。コンピュータ可読媒体は、処理システム内に、処理システムの外部に存在し得るか、または処理システムを含む複数のエンティティにわたって分散し得る。コンピュータ可読媒体は、コンピュータプログラム製品において具現化され得る。例として、コンピュータプログラム製品は、パッケージング材料にコンピュータ可読媒体を含み得る。当業者は、システム全体に課せられる全体的な設計制約および特定の用途に依存して、本開示全体を通して提示された、説明された機能をいかに最良にインプリメントすべきかを認識することになる。
【０１０８】
[00117]  開示された方法におけるステップの特定の順序または階層は、実例的なプロセスの例示であると理解されるべきである。設計の選好に基づいて、これら方法におけるステップの特定の順序または階層が並べ替えられ得ることが理解される。添付の方法の請求項は、例となる順序で様々なステップの要素を提示しており、本明細書に明確に記載されていない限り、提示された特定の順序または階層に限定されることを意味するものではない。
【０１０９】
[00118]  先の説明は、当業者が本明細書に説明されている様々な態様を実現することを可能にするために提供されている。これらの態様に対する様々な修正は、当業者にとって容易に明らかとなり、本明細書で定義される包括的な原理は他の態様に適用され得る。したがって、特許請求の範囲は、本明細書に示されている態様に限定されるように意図されたものではなく、特許請求の範囲の文言と矛盾しない最大範囲であると認められるべきであり、ここにおいて、単数の要素への参照は、そのように明確に記載されていない限り、「１つおよび１つのみ」を意味するのではなく、むしろ「１つまたは複数」を意味するように意図されている。そうでないことが明確に記載されていない限り、「いくつかの」という用語は１つまたは複数を指す。項目のリスト「のうちの少なくとも１つ」を指すフレーズは、単一のメンバを含む、それら項目の任意の組合せを指す。例として、「ａ、ｂ、またはｃのうちの少なくとも１つ」は、ａ；ｂ；ｃ；ａおよびｂ；ａおよびｃ；ｂおよびｃ；ならびにａ、ｂ、およびｃをカバーすることが意図されている。当業者には既知の、または後に知られることになる本開示全体を通して説明されている様々な態様の要素に対するすべての構造的および機能的な同等物が、参照によって本明細書に明確に組み込まれ、特許請求の範囲によって包含されるように意図されている。さらに、本明細書で開示したものが、特許請求の範囲に明示的に記載されているかどうかにかかわらず、そのような開示は公に寄与されることを意図したものではない。請求項の要素のいずれも、その要素が「〜のための手段」というフレーズを使用して明確に記載されていない限り、または、方法の請求項の場合には、その要素が「〜のためのステップ」というフレーズを使用して記載されていない限り、米国特許法第１１２条（ｆ）の規定のもとで解釈されるべきではない。
【０１１０】
[0100]  当業者は、情報および信号が、様々な異なる技術および技法のいずれかを使用して表され得ることを理解するであろう。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組合せによって表わされ得る。
【０１１１】
[0101]  当業者は、さらに、本明細書の開示に関連して説明されている様々な例示的な論理ブロック、モジュール、回路、およびアルゴリズムのステップが、電子ハードウェア、コンピュータソフトウェア、またはその両方の組合せとしてインプリメントされ得ることを認識するであろう。このハードウェアとソフトウェアの互換性を明確に例示するために、様々な例示的なコンポーネント、ブロック、モジュール、回路、およびステップが、概して、それらの機能の観点から上述されている。このような機能が、ハードウェアとしてインプリメントされるか、ソフトウェアとしてインプリメントされるかは、特定の用途およびシステム全体に課せられる設計制約に依存する。当業者は、各々の特定の用途について、説明された機能を多様な方法でインプリメントすることができるが、そのようなインプリメンテーションの判断は、本開示の範囲からの逸脱を引き起こすものとして解釈されるべきではない。
【０１１２】
[0102]  本明細書の開示に関連して説明されている様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理、ディスクリートハードウェアコンポーネント、もしくは、本明細書に説明されている機能を実行するように設計されたこれらの任意の組合せを用いてインプリメントまたは実行され得る。汎用プロセッサはマイクロプロセッサであり得るが、代替として、このプロセッサは、任意の従来のプロセッサ、コントローラ、マイクロコントローラ、またはステートマシンであり得る。プロセッサは、また、例えば、ＤＳＰとマクロプロセッサの組合せ、複数のマイクロプロセッサ、ＤＳＰコアに連結した１つまたは複数のマイクロプロセッサ、または他の任意のそのような構成といった、コンピューティングデバイスの組合せとしてインプリメントされ得る。
【０１１３】
[0103]  本明細書の開示に関連して説明されている方法またはアルゴリズムのステップは、ハードウェアにおいて直接的に、プロセッサによって実行されるソフトウェアモジュールにおいて、またはこの２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術分野で既知の他の任意の形態の記憶媒体に存在し得る。実例的な記憶媒体は、プロセッサが記憶媒体から情報を読み取り、また記憶媒体に情報を書き込むことができるように、プロセッサに結合される。代替として、記憶媒体は、プロセッサに一体化され得る。プロセッサおよび記憶媒体は、ＡＳＩＣに存在し得る。ＡＳＩＣは、ユーザ端末に存在し得る。代替として、プロセッサおよび記憶媒体は、ユーザ端末内のディスクリートコンポーネントとして存在し得る。
【０１１４】
[0104]  １つまたは複数の実例的な設計において、説明された複数の機能は、ハードウェア、ソフトウェア、ファームウェア、またはこれらの任意の組合せでインプリメントされ得る。ソフトウェアにおいてインプリメントされる場合、これらの機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体およびコンピュータ記憶媒体の両方を含む。記憶媒体は、汎用または専用コンピュータによってアクセスされることができる任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは、命令またはデータ構造の形態で所望のプログラムコード手段を記憶または搬送するために使用されることができ、ならびに、汎用もしくは専用コンピュータ、または汎用もしくは専用プロセッサによってアクセスされることができる、他の任意の媒体を備えることができる。また、任意の接続は、コンピュータ可読媒体と正しくは称される。例えば、ソフトウェアが、ウェブサイト、サーバ、または、同軸ケーブル、光ファイバーケーブル、ツイストペア、デジタル加入者線（ＤＳＬ）、もしくは赤外線、無線、およびマイクロ波のようなワイヤレス技術を使用する他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用されるとき、コンパクトディスク（ＣＤ）、レーザーディスク（登録商標）、光ディスク、デジタル多用途ディスク（ＤＶＤ）、フロッピーディスク、およびＢｌｕ−ｒａｙ（登録商標）ディスクを含み、ここで、ディスク（disk）は通常、磁気的にデータを再生するが、ディスク（disc）は、レーザーを用いて光学的にデータを再生する。上記の組合せもまた、コンピュータ可読媒体の範囲内に含まれるべきである。
【０１１５】
[0105]  本開示の先の説明は、当業者が本開示を製造または使用することを可能にするために提供されている。本開示に対する様々な修正は、当業者には容易に明らかとなり、本明細書で定義された包括的な原理は、本開示の精神または範囲から逸脱せずに、他の変形物に適用され得る。したがって、本開示は、本明細書に説明されている例および設計に限定されるようには意図されておらず、本明細書に開示されている原理および新規の特徴と矛盾しない最大範囲であると認められるべきである。
以下に本願の出願当初の特許請求の範囲に記載された発明を付記する。
［Ｃ１］
ワイヤレス通信の方法であって、
第１の無線アクセス技術（ＲＡＴ）にしたがって動作する第１のモデムによって、前記第１のＲＡＴにしたがって動作する少なくとも１つのネットワークエンティティからメッセージを受信することと、ここにおいて、前記受信されたメッセージは、測定されたエネルギーレベルで前記第１のモデムによって検出される、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送ることと、
前記第１のモデムから受信された前記検出されたエネルギーレベル値に基づいてエネルギー検出しきい値を調整することと
を備える、方法。
［Ｃ２］
前記第２のモデムによって、前記検出されたエネルギーレベル値がデフォルトのエネルギー検出しきい値を下回ると決定することをさらに備え、ここにおいて、前記エネルギー検出しきい値を調整することは、前記第１のモデムから受信された前記検出されたエネルギーレベル値が前記デフォルトのエネルギー検出しきい値を下回ると決定することに基づいて調整することを含む、Ｃ１に記載の方法。
［Ｃ３］
前記第２のモデムによって、前記調整されたエネルギー検出しきい値に基づいて通信チャネル中の干渉レベルを決定することをさらに備える、
Ｃ１に記載の方法。
［Ｃ４］
前記第１のモデムまたは前記第２のモデムの一方によって、前記検出されたエネルギーレベル値に基づいて前記エネルギー検出しきい値を調整することをさらに備える、
Ｃ１に記載の方法。
［Ｃ５］
前記第１のモデムによって、前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信することをさらに備え、
前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
Ｃ１に記載の方法。
［Ｃ６］
前記第１のモデムによって、前記測定されたエネルギーレベルと前記後続の測定されたエネルギーレベルとを含む複数の測定されたエネルギーレベルの中の最小の測定されたエネルギーレベルを決定することと、
前記第１のモデムによって、前記決定された最小の測定されたエネルギーレベルを前記検出されたエネルギーレベル値として設定することと
をさらに備える、Ｃ５に記載の方法。
［Ｃ７］
前記検出されたエネルギーレベル値を送ることは、前記受信されたメッセージまたは前記後続のメッセージの一方または両方に関連付けられたヘッダ情報を、前記第１のモデムによって前記第２のモデムに送ることを含む、Ｃ５に記載の方法。
［Ｃ８］
前記第１のモデムまたは前記第２のモデムの一方によって、前記測定されたエネルギーレベルと前記後続の測定されたエネルギーレベルとをフィルタリングすることと、
前記第１のモデムまたは前記第２のモデムの一方によって、前記受信されたメッセージに関連付けられた前記測定されたエネルギーレベルと前記後続の測定されたエネルギーレベルとから、前記検出されたエネルギーレベル値を決定することと
をさらに備える、Ｃ７に記載の方法。
［Ｃ９］
前記第１のモデムによって、前記検出されたエネルギーレベル値を前記送る前に、定義された期間の間、待機することと、
前記第１のモデムによって、前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記第１のモデムによって、および前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと
をさらに備え、
前記検出されたエネルギーレベル値を前記送ることは、前記定義された期間の満了に応答して送ることを備える、Ｃ１に記載の方法。
［Ｃ１０］
前記エネルギー検出しきい値を調整することは、前記第１のモデムから受信された前記検出されたエネルギーレベル値に基づいて前記エネルギー検出しきい値を低減することを含む、Ｃ１に記載の方法。
［Ｃ１１］
前記エネルギー検出しきい値を調整することは、前記検出されたエネルギーレベル値の関数として調整することを含む、Ｃ１に記載の方法。
［Ｃ１２］
前記検出されたエネルギーレベル値は、定義された時間期間にわたる、１つまたは複数の復号されたプリアンブルの受信信号強度インジケータ（ＲＳＳＩ）値である、Ｃ１に記載の方法。
［Ｃ１３］
前記第１のＲＡＴは、ワイヤレスローカルエリアネットワークにしたがって動作し、前記第２のＲＡＴは、ワイヤレスワイドエリアネットワークにしたがって動作する、Ｃ１に記載の方法。
［Ｃ１４］
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信することをさらに備える、
Ｃ１に記載の方法。
［Ｃ１５］
ワイヤレス通信のための装置であって、
第１の無線アクセス技術（ＲＡＴ）にしたがって動作することと、
前記第１のＲＡＴを使用する少なくとも１つのネットワークエンティティからメッセージを受信することと、ここにおいて、前記受信されたメッセージは、測定されたエネルギーレベルで第１のモデムによって検出される、
前記受信されたメッセージの前記測定されたエネルギーレベルに少なくとも基づく検出されたエネルギーレベル値を送ることと
を行うように構成された前記第１のモデムと、
前記第１のＲＡＴとは異なる第２のＲＡＴにしたがって動作することと、
前記第１のモデムから受信された前記検出されたエネルギーレベル値に基づいてエネルギー検出しきい値を調整することと
を行うように構成された第２のモデムと
を備える、装置。
［Ｃ１６］
前記第２のモデムは、前記検出されたエネルギーレベル値がデフォルトのエネルギー検出しきい値を下回ると決定するようにさらに構成され、ここにおいて、前記第２のモデムは、前記第１のモデムから受信された前記検出されたエネルギーレベル値が前記デフォルトのエネルギー検出しきい値を下回ると決定することに基づいて前記エネルギー検出しきい値を調整するようにさらに構成される、Ｃ１５に記載の装置。
［Ｃ１７］
前記第２のモデムは、前記調整されたエネルギー検出しきい値に基づいて通信チャネル中の干渉レベルを決定するようにさらに構成される、Ｃ１５に記載の装置。
［Ｃ１８］
前記第１のモデムまたは前記第２のモデムの一方または両方が、前記検出されたエネルギーレベル値に基づいて前記エネルギー検出しきい値を調整するように構成される、Ｃ１５に記載の装置。
［Ｃ１９］
前記第１のモデムは、
前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信するようにさらに構成され、
前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
Ｃ１５に記載の装置。
［Ｃ２０］
前記第１のモデムは、
前記測定されたエネルギーレベルと前記後続の測定されたエネルギーレベルとを含む複数の測定されたエネルギーレベルの中の最小の測定されたエネルギーレベルを決定することと、
前記決定された最小の測定されたエネルギーレベルを前記検出されたエネルギーレベル値として設定することと
を行うようにさらに構成される、Ｃ１９に記載の装置。
［Ｃ２１］
前記検出されたエネルギーレベル値を送ることは、前記第１のモデムが、前記受信されたメッセージまたは前記後続のメッセージの一方または両方に関連付けられたヘッダ情報を送るようにさらに構成されることを含む、Ｃ１９に記載の装置。
［Ｃ２２］
前記第１のモデムまたは前記第２のモデムの一方は、
前記測定されたエネルギーレベルと前記後続の測定されたエネルギーレベルとをフィルタリングすることと、
前記受信されたメッセージに関連付けられた前記測定されたエネルギーレベルと前記後続の測定されたエネルギーレベルとから前記検出されたエネルギーレベル値を決定することと
を行うように構成される、Ｃ２１に記載の装置。
［Ｃ２３］
前記第１のモデムは、
前記検出されたエネルギーレベル値を送る前に、定義された期間の間、待機することと、
前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと、
前記定義された期間の満了に応答して前記検出されたエネルギーレベル値を送ることと
を行うようにさらに構成される、Ｃ１５に記載の装置。
［Ｃ２４］
前記エネルギー検出しきい値を調整するために、前記第１のモデムまたは前記第２のモデムの一方は、前記第１のモデムから受信された前記検出されたエネルギーレベル値に基づいて前記エネルギー検出しきい値を低減するように構成される、Ｃ１５に記載の装置。
［Ｃ２５］
前記エネルギー検出しきい値を調整するために、前記第１のモデムまたは前記第２のモデムの一方は、前記検出されたエネルギーレベル値の関数として調整するように構成される、Ｃ１５に記載の装置。
［Ｃ２６］
前記検出されたエネルギーレベル値は、定義された時間期間にわたる、１つまたは複数の復号されたプリアンブルの受信信号強度インジケータ（ＲＳＳＩ）値である、Ｃ１５に記載の装置。
［Ｃ２７］
前記第１のＲＡＴは、ワイヤレスローカルエリアネットワークにしたがって動作し、前記第２のＲＡＴは、ワイヤレスワイドエリアネットワークにしたがって動作する、Ｃ１５に記載の装置。
［Ｃ２８］
前記第１のモデムまたは前記第２のモデムの一方または両方は、
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信するように構成される、
Ｃ１５に記載の装置。
［Ｃ２９］
ワイヤレス通信のための装置であって、
第１の無線アクセス技術（ＲＡＴ）を介して、前記第１のＲＡＴにしたがって動作する少なくとも１つのネットワークエンティティからメッセージを受信するための手段と、ここにおいて、前記受信されたメッセージは、測定されたエネルギーレベルで検出される、
前記第１のＲＡＴとは異なる第２のＲＡＴを介して、前記受信されたメッセージの前記測定されたエネルギーレベルに少なくとも基づく検出されたエネルギーレベル値を送るための手段と、
前記検出されたエネルギーレベル値に基づいてエネルギー検出しきい値を調整するための手段と
を備える、装置。
［Ｃ３０］
ワイヤレス通信のためのコンピュータ実行可能コードを記憶するコンピュータ可読媒体であって、
第１の無線アクセス技術（ＲＡＴ）にしたがって動作する第１のモデムによって、前記第１のＲＡＴにしたがって動作する少なくとも１つのネットワークエンティティからメッセージを受信するようにプロセッサによって実行可能なコードと、ここにおいて、前記受信されたメッセージは、測定されたエネルギーレベルで前記第１のモデムによって検出される、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送るように前記プロセッサによって実行可能なコードと、
前記第１のモデムから受信された前記検出されたエネルギーレベル値に基づいてエネルギー検出しきい値を調整するように前記プロセッサによって実行可能なコードと
を備える、コンピュータ可読媒体。
【図１Ａ】
0006419972.tif 000002
【図１Ｂ】
0006419972.tif 000003
【図２】
0006419972.tif 000004
【図３】
0006419972.tif 000005
【図４】
0006419972.tif 000006
【図５】
0006419972.tif 000007
【図６】
0006419972.tif 000008
【図７】
0006419972.tif 000009
【図８】
0006419972.tif 000010
【図９】
0006419972.tif 000011